(57)【要約】  本願実施例はリソース決定方法、装置、端末、アクセスネットワーク装置及びシステムを提供し、通信分野に関し、前記方法は、端末が第１設定情報と第２設定情報に基づいて、アップリンク制御情報を送信するための集約物理アップリンク制御チャネル（集約ＰＵＣＣＨ）の各タイムスロットにおいて占有する第１時間領域リソースを決定することと、ｎ個のタイムスロットにおいて前記第１時間領域リソースを介してアクセスネットワーク装置に前記アップリンク制御情報を送信し、前記ｎが正の整数であることと、を含み、前記第１設定情報は、前記アクセスネットワーク装置が集約ＰＵＣＣＨに設定した第２時間領域リソースを示すことに用いられ、前記第１時間領域リソースは前記第２時間領域リソースに属し、前記第２設定情報は、前記アクセスネットワーク装置が設定したアップリンク信号伝送のための第３時間領域リソースを示すことに用いられる。本願では、アクセスネットワーク装置が別途に制御シグナリングを生成する必要がなく、制御シグナリングのオーバヘッドを節約できる。
2021510465.tif 000002
【特許請求の範囲】
【請求項１】
端末が第１設定情報と第２設定情報に基づいて、アップリンク制御情報を送信するための集約物理アップリンク制御チャネル（ＰＵＣＣＨ）の第１時間領域リソースを決定することと、
前記端末がｎ個のタイムスロットにおいて、前記第１時間領域リソースを介してアクセスネットワーク装置に前記アップリンク制御情報を送信し、前記ｎが正の整数であることと、を含み、
前記第１設定情報は、前記アクセスネットワーク装置が集約ＰＵＣＣＨに設定した第２時間領域リソースを示すことに用いられ、前記第１時間領域リソースは前記第２時間領域リソースに属し、前記第２設定情報は、前記アクセスネットワーク装置が設定したアップリンク信号伝送のための第３時間領域リソースを示すことに用いられることを特徴とするリソース決定方法。
【請求項２】
前記第１時間領域リソースは前記第２時間領域リソースと使用可能な時間領域リソースとの共通部分であり、前記使用可能な時間領域リソースは前記第３時間領域リソースに基づいて決定されたものであることを特徴とする請求項１に記載の方法。
【請求項３】
前記第２設定情報は準静的に設定された情報であり、及び／又は、前記第２設定情報は半持続的に設定された情報であり、及び／又は、前記第２設定情報は動的に設定された情報であることを特徴とする請求項１又は２に記載の方法。
【請求項４】
前記第２設定情報は、
アップリンクチャネル品質測定（ＳＲＳ）の占有する時間領域リソースを示すための設定情報、
及び／又は、
サブフレームのフォーマットを示すための設定情報を含むことを特徴とする請求項１又は２に記載の方法。
【請求項５】
前記第１設定情報が前記第２時間領域リソースを示す方式は、
タイムスロット数及び各タイムスロットにおける集約ＰＵＣＣＨのシンボルの個数を示すこと、
タイムスロット数、各タイムスロットにおける集約ＰＵＣＣＨの時間開始点及びシンボルの個数を示すこと、
タイムスロット数、各タイムスロットにおける集約ＰＵＣＣＨの時間終了点及びシンボルの個数を示すこと、
タイムスロット数及び各タイムスロットにおける集約ＰＵＣＣＨのシンボル識別子を示すこと、
タイムスロット識別子及び各タイムスロットにおける集約ＰＵＣＣＨのシンボルの個数を示すこと、
タイムスロット識別子、各タイムスロットにおける集約ＰＵＣＣＨの時間開始点及びシンボルの個数を示すこと、
タイムスロット識別子、各タイムスロットにおける集約ＰＵＣＣＨの時間終了点及びシンボルの個数を示すこと、
タイムスロット識別子及び各タイムスロットにおける集約ＰＵＣＣＨのシンボル識別子を示すこと、のうちの１つであり、
各タイムスロットは少なくとも１つのシンボルを含むことを特徴とする請求項１〜４のいずれか１つに記載の方法。
【請求項６】
前記ｎは１より大きく、前記端末がｎ個のタイムスロットにおける前のｍ個のタイムスロットにおいて、前記第１時間領域リソースを介してアクセスネットワーク装置に前記アップリンク制御情報を送信した後、前記方法は更に、
前記端末が前記アクセスネットワーク装置から送信されたダウンリンク指示情報を受信することと、
前記端末が前記ダウンリンク指示情報に基づいて、後続の集約ＰＵＣＣＨを使用して前記アップリンク制御情報を送信するのを停止し、又は、端末が前記ダウンリンク指示情報に基づいて、後続の集約ＰＵＣＣＨを使用して他のアップリンク制御情報を送信することと、を含み、
前記後続の集約ＰＵＣＣＨとは、前記ｎ個のタイムスロットのうちの、前のｍ個のタイムスロット以外のタイムスロットにおける集約ＰＵＣＣＨを指し、前記ｍは整数であり、且つ１≦ｍ＜ｎであることを特徴とする請求項１〜５のいずれか１つに記載の方法。
【請求項７】
前記アップリンク制御情報はフィードバック情報を含み、前記フィードバック情報は肯定応答又は否定応答であり、前記肯定応答はダウンリンクデータを正確に受信したことを示すことに用いられ、前記否定応答は前記ダウンリンクデータを正確に受信していないことを示すことに用いられ、前記ダウンリンクデータは、前記端末が前記アップリンク制御情報を送信する前に受信した前記アクセスネットワーク装置から送信されたデータであり、
前記ダウンリンク指示情報はダウンリンク許可（Ｇｒａｎｔ）であり、前記ダウンリンク指示情報は、前記フィードバック情報に対応するＨＡＲＱプロセスをスケジューリングしてアップリンクデータを送信するのを指示することに用いられることを特徴とする請求項６に記載の方法。
【請求項８】
前記端末が第１設定情報と第２設定情報に基づいて、アップリンク制御情報を送信するための集約ＰＵＣＣＨの各タイムスロットにおいて占有する第１時間領域リソースを決定する前に、更に、
前記アクセスネットワーク装置から送信された前記第１設定情報を受信することと、
前記アクセスネットワーク装置から送信された前記第２設定情報を受信することと、を含むことを特徴とする請求項１〜７のいずれか１つに記載の方法。
【請求項９】
アクセスネットワーク装置が第１設定情報と第２設定情報に基づいて、アップリンク制御情報を伝送するための集約物理アップリンク制御チャネル（集約ＰＵＣＣＨ）の第１時間領域リソースを決定することと、
前記アクセスネットワーク装置がｎ個のタイムスロットにおいて、前記第１時間領域リソースを介して端末の送信した前記アップリンク制御情報を受信し、前記ｎが正の整数であることと、を含み、
前記第１設定情報は、前記アクセスネットワーク装置が集約ＰＵＣＣＨに設定した第２時間領域リソースを示すことに用いられ、前記第１時間領域リソースは前記第２時間領域リソースに属し、前記第２設定情報は、前記アクセスネットワーク装置が設定したアップリンク信号伝送のための第３時間領域リソースを示すことに用いられることを特徴とするリソース決定方法。
【請求項１０】
前記第１時間領域リソースは前記第２時間領域リソースと使用可能な時間領域リソースとの共通部分であり、前記使用可能な時間領域リソースは前記第３時間領域リソースに基づいて決定されたものであることを特徴とする請求項９に記載の方法。
【請求項１１】
前記第２設定情報は準静的に設定された情報であり、及び／又は、前記第２設定情報は半持続的に設定された情報であり、及び／又は、前記第２設定情報は動的に設定された情報であることを特徴とする請求項９又は１０に記載の方法。
【請求項１２】
前記第２設定情報は、
アップリンクチャネル品質測定（ＳＲＳ）の占有する時間領域リソースを示すための設定情報、
及び／又は、
サブフレームのフォーマットを示すための設定情報を含むことを特徴とする請求項９又は１０に記載の方法。
【請求項１３】
前記第１設定情報が前記第２時間領域リソースを示す方式は、
タイムスロット数及び各タイムスロットにおける集約ＰＵＣＣＨのシンボルの個数を示すこと、
タイムスロット数、各タイムスロットにおける集約ＰＵＣＣＨの時間開始点及びシンボルの個数を示すこと、
タイムスロット数、各タイムスロットにおける集約ＰＵＣＣＨの時間終了点及びシンボルの個数を示すこと、
タイムスロット数及び各タイムスロットにおける集約ＰＵＣＣＨのシンボル識別子を示すこと、
タイムスロット識別子及び各タイムスロットにおける集約ＰＵＣＣＨのシンボルの個数を示すこと、
タイムスロット識別子、各タイムスロットにおける集約ＰＵＣＣＨの時間開始点及びシンボルの個数を示すこと、
タイムスロット識別子、各タイムスロットにおける集約ＰＵＣＣＨの時間終了点及びシンボルの個数を示すこと、
タイムスロット識別子及び各タイムスロットにおける集約ＰＵＣＣＨのシンボル識別子を示すこと、のうちの１つであり、
各タイムスロットは少なくとも１つのシンボルを含むことを特徴とする請求項９〜１２のいずれか１つに記載の方法。
【請求項１４】
前記ｎは１より大きく、前記アクセスネットワーク装置が前記ｎ個のタイムスロットにおける前のｍ個のタイムスロットにおいて前記アップリンク制御情報を受信した後、前記方法は更に、
前記端末にダウンリンク指示情報を送信し、前記ダウンリンク指示情報は、後続の集約ＰＵＣＣＨを使用して前記アップリンク制御情報を送信するのを停止するように前記端末に指示する情報を含み、又は、前記ダウンリンク指示情報は、後続の集約ＰＵＣＣＨを使用して他のアップリンク制御情報を送信するように前記端末に指示する情報を含み、前記ｍは整数であり、且つ１≦ｍ＜ｎであることを含み、
前記後続の集約ＰＵＣＣＨとは、前記ｎ個のタイムスロットのうちの、前のｍ個のタイムスロット以外のタイムスロットにおける集約ＰＵＣＣＨを指すことを特徴とする請求項９〜１３のいずれか１つに記載の方法。
【請求項１５】
前記アップリンク制御情報はフィードバック情報を含み、前記フィードバック情報は肯定応答又は否定応答であり、前記肯定応答はダウンリンクデータを正確に受信したことを示すことに用いられ、前記否定応答は前記ダウンリンクデータを正確に受信していないことを示すことに用いられ、前記ダウンリンクデータは前記アクセスネットワーク装置が前記アップリンク制御情報を受信する前に前記端末に送信したデータであり、
前記ダウンリンク指示情報はダウンリンク許可（ＤＬ  Ｇｒａｎｔ）であり、前記ダウンリンク指示情報は、前記フィードバック情報に対応するＨＡＲＱプロセスをスケジューリングしてアップリンクデータを送信するのを指示することに用いられることを特徴とする請求項１４に記載の方法。
【請求項１６】
前記アクセスネットワーク装置が少なくとも１つのタイムスロットにおいて端末の集約ＰＵＣＣＨを介して送信したアップリンクデータを受信する前に、更に、
前記端末に前記第１設定情報を送信することと、
前記端末に前記第２設定情報を送信することと、を含むことを特徴とする請求項９〜１５のいずれか１つに記載の方法。
【請求項１７】
第１設定情報と第２設定情報に基づいて、アップリンク制御情報を送信するための集約物理アップリンク制御チャネル（集約ＰＵＣＣＨ）の第１時間領域リソースを決定することに用いられるリソース決定ユニットと、
ｎ個のタイムスロットにおいて前記第１時間領域リソースを介してアクセスネットワーク装置に前記アップリンク制御情報を送信することに用いられ、前記ｎが正の整数である送信ユニットと、を備え、
前記第１設定情報は、前記アクセスネットワーク装置が集約ＰＵＣＣＨに設定した第２時間領域リソースを示すことに用いられ、前記第１時間領域リソースは前記第２時間領域リソースに属し、前記第２設定情報は、前記アクセスネットワーク装置が設定したアップリンク信号伝送のための第３時間領域リソースを示すことに用いられることを特徴とするリソース決定装置。
【請求項１８】
第１設定情報と第２設定情報に基づいて、アップリンク制御情報を伝送するための集約物理アップリンク制御チャネル（集約ＰＵＣＣＨ）の第１時間領域リソースを決定することに用いられるリソース決定ユニットと、
ｎ個のタイムスロットにおいて前記第１時間領域リソースを介して端末から送信された前記アップリンク制御情報を受信することに用いられ、前記ｎが正の整数である受信ユニットと、を備え、
前記第１設定情報は、前記アクセスネットワーク装置が集約ＰＵＣＣＨに設定した第２時間領域リソースを示すことに用いられ、前記第１時間領域リソースは前記第２時間領域リソースに属し、前記第２設定情報は、前記アクセスネットワーク装置が設定したアップリンク信号伝送のための第３時間領域リソースを示すことに用いられることを特徴とするリソース決定装置。
【請求項１９】
端末であって、プロセッサとメモリを備え、前記メモリには少なくとも１つの命令が記憶され、前記少なくとも１つの命令は前記プロセッサに実行されることによって請求項１〜８のいずれか１つに記載のリソース決定方法を実現することに用いられることを特徴とする端末。
【請求項２０】
アクセスネットワーク装置であって、プロセッサとメモリを備え、前記メモリには少なくとも１つの命令が記憶され、前記少なくとも１つの命令は前記プロセッサに実行されることによって請求項９〜１６のいずれか１つに記載のリソース決定方法を実現することに用いられることを特徴とするアクセスネットワーク装置。
【請求項２１】
コンピュータ可読記憶媒体であって、少なくとも１つの命令を記憶し、前記少なくとも１つの命令は、プロセッサに実行されることによって請求項１〜８のいずれか１つに記載のリソース決定方法を実現し、又は、請求項９〜１６のいずれか１つに記載のリソース決定方法を実現することに用いられることを特徴とするコンピュータ可読記憶媒体。
【請求項２２】
通信システムであって、端末とアクセスネットワーク装置を備え、
前記端末は請求項１９に記載の端末であり、
前記アクセスネットワーク装置は請求項２０に記載のアクセスネットワーク装置であることを特徴とする通信システム。
【発明の詳細な説明】
【技術分野】
【０００１】
本願の実施例は通信分野に関し、特に、リソース決定方法、装置、ネットワークエレメント及びシステムに関する。
【背景技術】
【０００２】
第５世代移動通信（５Ｇ、Ｔｈｅ  ５ｔｈ  ｇｅｎｅｒａｔｉｏｎ）技術ではアップリンク制御チャネルのカバレッジを確保するために、集約物理アップリンク制御チャネル（ｌｏｎｇ  Ｐｈｙｓｉｃａｌ  Ｕｐｌｉｎｋ  Ｃｏｎｔｒｏｌ  Ｃｈａｎｎｅｌ  ｏｖｅｒ  ｍｕｌｔｉｐｌｅ  ｓｌｏｔｓ，ｌｏｎｇ  ＰＵＣＣＨ  ｏｖｅｒ  ｍｕｌｔｉｐｌｅ  ｓｌｏｔｓ）が導入されている。集約ＰＵＣＣＨは異なるタイムスロットにおいて同じアップリンク制御情報を伝送するのをサポートし、集約ＰＵＣＣＨの異なるタイムスロットにおいて占有する時間領域シンボルの個数は同じでもよく、異なってもよい。
【０００３】
５Ｇネットワークにおいて、端末が集約ＰＵＣＣＨを介してアクセスネットワーク装置にアップリンク制御情報を伝送する前に、まずアクセスネットワーク装置から端末に制御シグナリングが送信される必要があり、該制御シグナリングは、端末が該アップリンク制御情報を送信するときに使用する集約ＰＵＣＣＨの時間領域リソースの位置又はシンボルの個数を指示することに用いられ、端末は制御シグナリングを受信した後、該制御シグナリングの指示した集約ＰＵＣＣＨの時間領域リソースによってアップリンク制御情報を伝送する。
【０００４】
集約ＰＵＣＣＨの異なるタイムスロットにおいて占有する時間領域シンボルが異なる場合、制御シグナリングは各タイムスロット内のＰＵＣＣＨの占有する時間領域シンボル又は占有するシンボルの長さを示す必要があり、その時、制御シグナリングのオーバヘッドが非常に大きい。
【発明の概要】
【発明が解決しようとする課題】
【０００５】
本願の実施例はリソース決定方法、装置、ネットワークエレメント及びシステムを提供し、制御シグナリングのオーバヘッドが大きいという課題を解決できる。
【課題を解決するための手段】
【０００６】
本願の第１態様によれば、リソース決定方法を提供し、前記方法は、
端末が第１設定情報と第２設定情報に基づいて、アップリンク制御情報を送信するための集約物理アップリンク制御チャネル（集約ＰＵＣＣＨ）の第１時間領域リソースを決定することと、
前記端末がｎ個のタイムスロットにおいて、前記第１時間領域リソースを介してアクセスネットワーク装置に前記アップリンク制御情報を送信し、前記ｎが正の整数であることと、を含み、
前記第１設定情報は、前記アクセスネットワーク装置が集約ＰＵＣＣＨに設定した第２時間領域リソースを示すことに用いられ、前記第１時間領域リソースは前記第２時間領域リソースに属し、前記第２設定情報は、前記アクセスネットワーク装置が設定したアップリンク信号伝送のための第３時間領域リソースを示すことに用いられる。
【０００７】
選択肢として、前記第１時間領域リソースは前記第２時間領域リソースと使用可能な時間領域リソースとの共通部分であり、前記使用可能な時間領域リソースは前記第３時間領域リソースに基づいて決定されたものである。
【０００８】
選択肢として、前記第２設定情報は準静的に設定された情報であり、及び／又は、前記第２設定情報は半持続的に設定された情報であり、及び／又は、前記第２設定情報は動的に設定された情報である。
【０００９】
選択肢として、前記第２設定情報は、
アップリンクチャネル品質測定（ＳＲＳ）の占有する時間領域リソースを示すための設定情報、
及び／又は、
サブフレームのフォーマットを示すための設定情報を含む。
【００１０】
選択肢として、前記第１設定情報が前記第２時間領域リソースを示す方式は、
タイムスロット数及び各タイムスロットにおける集約ＰＵＣＣＨのシンボルの個数を示すこと、
タイムスロット数、各タイムスロットにおける集約ＰＵＣＣＨの時間開始点及びシンボルの個数を示すこと、
タイムスロット数、各タイムスロットにおける集約ＰＵＣＣＨの時間終了点及びシンボルの個数を示すこと、
タイムスロット数及び各タイムスロットにおける集約ＰＵＣＣＨのシンボル識別子を示すこと、
タイムスロット識別子及び各タイムスロットにおける集約ＰＵＣＣＨのシンボルの個数を示すこと、
タイムスロット識別子、各タイムスロットにおける集約ＰＵＣＣＨの時間開始点及びシンボルの個数を示すこと、
タイムスロット識別子、各タイムスロットにおける集約ＰＵＣＣＨの時間終了点及びシンボルの個数を示すこと、
タイムスロット識別子及び各タイムスロットにおける集約ＰＵＣＣＨのシンボル識別子を示すこと、のうちの１つであり、
各タイムスロットは少なくとも１つのシンボルを含む。
【００１１】
選択肢として、前記ｎは１より大きく、前記端末がｎ個のタイムスロットにおける前のｍ個のタイムスロットにおいて、前記第１時間領域リソースを介してアクセスネットワーク装置に前記アップリンク制御情報を送信した後、前記方法は更に、
前記端末が前記アクセスネットワーク装置から送信されたダウンリンク指示情報を受信することと、
前記端末が前記ダウンリンク指示情報に基づいて、後続の集約ＰＵＣＣＨを使用して前記アップリンク制御情報を送信するのを停止し、又は、端末が前記ダウンリンク指示情報に基づいて、後続の集約ＰＵＣＣＨを使用して他のアップリンク制御情報を送信することと、を含み、
前記後続の集約ＰＵＣＣＨとは、前記ｎ個のタイムスロットのうちの、前のｍ個のタイムスロット以外のタイムスロットにおける集約ＰＵＣＣＨを指し、前記ｍは整数であり、且つ１≦ｍ＜ｎである。
【００１２】
選択肢として、前記アップリンク制御情報はフィードバック情報を含み、前記フィードバック情報は肯定応答又は否定応答であり、前記肯定応答はダウンリンクデータを正確に受信したことを示すことに用いられ、前記否定応答は前記ダウンリンクデータを正確に受信していないことを示すことに用いられ、前記ダウンリンクデータは前記端末が前記アップリンク制御情報を送信する前に受信した前記アクセスネットワーク装置から送信されたデータであり、
前記ダウンリンク指示情報はダウンリンク許可（Ｇｒａｎｔ）であり、前記ダウンリンク指示情報は、前記フィードバック情報に対応するＨＡＲＱプロセスをスケジューリングしてアップリンクデータを送信するのを指示することに用いられる。
【００１３】
選択肢として、前記端末が第１設定情報と第２設定情報に基づいて、アップリンク制御情報を送信するための集約ＰＵＣＣＨの各タイムスロットにおいて占有する第１時間領域リソースを決定する前に、更に、
前記アクセスネットワーク装置から送信された前記第１設定情報を受信することと、
前記アクセスネットワーク装置から送信された前記第２設定情報を受信することと、を含む。
【００１４】
本願の第２態様によれば、リソース決定方法を提供し、前記方法は、
アクセスネットワーク装置が第１設定情報と第２設定情報に基づいて、アップリンク制御情報を伝送するための集約物理アップリンク制御チャネル（集約ＰＵＣＣＨ）の第１時間領域リソースを決定することと、
前記アクセスネットワーク装置がｎ個のタイムスロットにおいて、前記第１時間領域リソースを介して端末の送信した前記アップリンク制御情報を受信し、前記ｎは正の整数であることと、を含み、
前記第１設定情報は、前記アクセスネットワーク装置が集約ＰＵＣＣＨに設定した第２時間領域リソースを示すことに用いられ、前記第１時間領域リソースは前記第２時間領域リソースに属し、前記第２設定情報は、前記アクセスネットワーク装置が設定したアップリンク信号伝送のための第３時間領域リソースを示すことに用いられる。
【００１５】
選択肢として、前記第１時間領域リソースは前記第２時間領域リソースと使用可能な時間領域リソースとの共通部分であり、前記使用可能な時間領域リソースは前記第３時間領域リソースに基づいて決定されたものである。
【００１６】
選択肢として、前記第２設定情報は準静的に設定された情報であり、及び／又は、前記第２設定情報は半持続的に設定された情報であり、及び／又は、前記第２設定情報は動的に設定された情報である。
【００１７】
選択肢として、前記第２設定情報は、
アップリンクチャネル品質測定（ＳＲＳ）の占有する時間領域リソースを示すための設定情報、
及び／又は、
サブフレームのフォーマットを示すための設定情報を含む。
【００１８】
選択肢として、前記第１設定情報が前記第２時間領域リソースを示す方式は、
タイムスロット数及び各タイムスロットにおける集約ＰＵＣＣＨのシンボルの個数を示すこと、
タイムスロット数、各タイムスロットにおける集約ＰＵＣＣＨの時間開始点及びシンボルの個数を示すこと、
タイムスロット数、各タイムスロットにおける集約ＰＵＣＣＨの時間終了点及びシンボルの個数を示すこと、
タイムスロット数及び各タイムスロットにおける集約ＰＵＣＣＨのシンボル識別子を示すこと、
タイムスロット識別子及び各タイムスロットにおける集約ＰＵＣＣＨのシンボルの個数を示すこと、
タイムスロット識別子、各タイムスロットにおける集約ＰＵＣＣＨの時間開始点及びシンボルの個数を示すこと、
タイムスロット識別子、各タイムスロットにおける集約ＰＵＣＣＨの時間終了点及びシンボルの個数を示すこと、
タイムスロット識別子及び各タイムスロットにおける集約ＰＵＣＣＨのシンボル識別子を示すこと、のうちの１つであり、
各タイムスロットは少なくとも１つのシンボルを含む。
【００１９】
選択肢として、前記ｎは１より大きく、前記アクセスネットワーク装置が前記ｎ個のタイムスロットにおける前のｍ個のタイムスロットにおいて前記アップリンク制御情報を受信した後、前記方法は更に、
前記端末にダウンリンク指示情報を送信し、前記ダウンリンク指示情報は、後続の集約ＰＵＣＣＨを使用して前記アップリンク制御情報を送信するのを停止するように前記端末に指示する情報を含み、又は、前記ダウンリンク指示情報は、後続の集約ＰＵＣＣＨを使用して他のアップリンク制御情報を送信するように前記端末に指示する情報を含み、前記ｍが整数であり、且つ１≦ｍ＜ｎであることを含み、
前記後続の集約ＰＵＣＣＨとは、前記ｎ個のタイムスロットのうちの、前のｍ個のタイムスロット以外のタイムスロットにおける集約ＰＵＣＣＨを指す。
【００２０】
選択肢として、前記アップリンク制御情報はフィードバック情報を含み、前記フィードバック情報は肯定応答又は否定応答であり、前記肯定応答はダウンリンクデータを正確に受信したことを示すことに用いられ、前記否定応答は前記ダウンリンクデータを正確に受信していないことを示すことに用いられ、前記ダウンリンクデータは前記アクセスネットワーク装置が前記アップリンク制御情報を受信する前に前記端末に送信したデータであり、
前記ダウンリンク指示情報はダウンリンク許可（ＤＬ  Ｇｒａｎｔ）であり、前記ダウンリンク指示情報は、前記フィードバック情報に対応するＨＡＲＱプロセスをスケジューリングしてアップリンクデータを送信するのを指示することに用いられる。
【００２１】
選択肢として、前記アクセスネットワーク装置が少なくとも１つのタイムスロットにおいて端末の集約ＰＵＣＣＨを介して送信したアップリンクデータを受信する前に、更に、
前記端末に前記第１設定情報を送信することと、
前記端末に前記第２設定情報を送信することと、を含む。
【００２２】
本願の第３態様によれば、リソース決定装置を提供し、該リソース決定装置は少なくとも１つのユニットを備え、該少なくとも１つのユニットは上記の第１態様に記載のリソース決定方法を実現することに用いられる。
【００２３】
本願の第４態様によれば、リソース決定装置を提供し、該リソース決定装置は少なくとも１つのユニットを備え、該少なくとも１つのユニットは上記の第２態様に記載のリソース決定方法を実現することに用いられる。
【００２４】
本願実施例の第５態様によれば、端末を提供し、該端末はプロセッサとメモリを備え、メモリには少なくとも１つの命令が記憶され、プロセッサは該命令を実行して上記の第１態様に記載のリソース決定方法を実現することに用いられる。
【００２５】
本願実施例の第６態様によれば、アクセスネットワーク装置を提供し、該アクセスネットワーク装置はプロセッサとメモリを備え、メモリには少なくとも１つの命令が記憶され、プロセッサは該命令を実行して上記の第２態様に記載のリソース決定方法を実現することに用いられる。
【００２６】
本願実施例の第７態様によれば、コンピュータ可読記憶媒体を提供し、該記憶媒体は少なくとも１つの命令を含み、プロセッサは該命令を実行して上記の第１態様に記載のリソース決定方法を実現し、又は、上記の第２態様に記載のリソース決定方法を実現することに用いられる。
【００２７】
本願実施例の第８態様によれば、通信システムを提供し、前記システムは端末とサーバを備え、
端末は第５態様による端末であってもよく、
アクセスネットワーク装置は第６態様によるアクセスネットワーク装置であってもよい。
【００２８】
本願実施例による技術案の有益な効果は下記の通りである。
端末は第１設定情報と第２設定情報によって、アップリンク制御情報を送信する集約ＰＵＣＣＨの時間領域リソースを決定する。第１設定情報リソースに基づいてアクセスネットワーク装置に設定された集約ＰＵＣＣＨの第２時間領域リソースを決定でき、第２設定情報リソースに基づいてアップリンク伝送に用いられる使用可能な時間領域リソースを決定できるため、アクセスネットワーク装置が制御シグナリングを別途に送信してアップリンク制御情報を伝送するための時間領域リソースを示す必要がなく、端末は第２時間領域リソースにおける使用可能な時間領域リソースを直接に使用してアップリンク制御情報を伝送でき、制御シグナリングのオーバヘッドが大きいという課題を解決でき、制御情報のオーバヘッドを節約できる。
【図面の簡単な説明】
【００２９】
本願実施例における技術案をより明確に説明するために、以下、実施例の説明に必要な図面を簡単に説明する。明らかに、以下説明する図面は本願の一部の実施例に過ぎず、当業者にとって、創造的な労力を払わない前提で、これらの図面に基づいて更に他の図面を取得することができる。
【００３０】
【図１】図１は本願の模式的な実施例による通信システムの構造模式図である。
【図２】図２は本願の模式的な実施例によるリソース決定方法のフローチャートである。
【図３】図３は本願の他の模式的な実施例によるリソース決定方法のフローチャートである。
【図４】図４は本願の他の模式的な実施例によるリソース決定方法のフローチャートである。
【図５】図５は本願の模式的な実施例による集約ＰＵＣＣＨの模式図である。
【図６】図６は本願の模式的な実施例による集約ＰＵＣＣＨの模式図である。
【図７】図７は本願の模式的な実施例による集約ＰＵＣＣＨの模式図である。
【図８】図８は本願の他の模式的な実施例によるリソース決定方法のフローチャートである。
【図９】図９は本願の模式的な実施例による集約ＰＵＣＣＨの模式図である。
【図１０】図１０は本願の模式的な実施例によるリソース決定装置のブロック図である。
【図１１】図１１は本願の模式的な実施例によるリソース決定装置のブロック図である。
【図１２】図１２は本願の模式的な実施例による端末の構造模式図である。
【図１３】図１３は本願の模式的な実施例によるアクセスネットワーク装置の構造模式図である。
【発明を実施するための形態】
【００３１】
本願の目的、技術案及びメリットをより明確にするために、以下は図面を参照しながら、本願の実施形態をより詳しく説明する。
【００３２】
本明細書に記載の「モジュール」とは、通常、メモリに記憶されている、ある機能を実現できるプログラム又は命令を指す。本明細書に記載の「ユニット」とは、通常、論理的に分割された機能的構造を指し、該「ユニット」は、単にハードウェアによって実現されてもよく、又は、ソフトウェアとハードウェアの組み合わせによって実現されてもよい。
【００３３】
本明細書に記載の「複数」は２つ以上を意味する。「及び／又は」は、関連するオブジェクトの関連関係を説明し、３つの関係が存在し得ることを表し、例えば、Ａ及び／又はＢは、Ａが単独に存在すること、ＡとＢが同時に存在すること、Ｂが単独に存在すること、という３つの状況を表すことができる。文字「／」は、一般的に前後の関連オブジェクトが「又は」の関係であることを表す。本願の明細書及び特許請求の範囲で使用される「第１」、「第２」、及びそれに類似する言葉は何かの順序、数量、又は重要性を表すものではなく、単に異なる構成部分を区別するためのものである。
【００３４】
図１は本願の実施例による通信システム１００の構造模式図を示す。通信システムは５Ｇシステム（又は新エアインターフェイス（ＮＲ、Ｎｅｗ  Ｒａｄｉｏ）と称される）、又は、ロングタームエボリューション（ＬＴＥ、Ｌｏｎｇ  Ｔｅｒｍ  Ｅｖｏｌｕｔｉｏｎ）システムであってもよく、又は、ライセンス補助アクセス（ＬＡＡ、Ｌｉｃｅｎｓｅｄ  Ａｓｓｉｓｔｅｄ  Ａｃｃｅｓｓ）−ロングタームエボリューション技術（ＬＴＥ、Ｌｏｎｇ  Ｔｅｒｍ  Ｅｖｏｌｕｔｉｏｎ）システムであってもよく、又は、更にアンライセンス周波数帯における独立式ＬＴＥ（Ｓｔａｎｄａｌｏｎｅ  ＵＬＴＥ、Ｓｔａｎｄａｌｏｎｅ  ＬＴＥ  ｏｖｅｒ  Ｕｎｌｉｃｅｎｓｅｄ  ｓｐｅｃｔｒｕｍ）システムであってもよく、本実施例はそれを限定しない。該通信システム１００はアクセスネットワーク装置１２０と端末１４０を備える。
【００３５】
アクセスネットワーク装置１２０は基地局であってもよく、該基地局は受信した無線フレームとＩＰパケットとの相互転換を行うことに使用でき、更にエアインタフェイスに対する属性管理を調整できる。例えば、基地局は、ＬＴＥにおける進化型基地局（ｅＮＢ又はｅ−ＮｏｄｅＢ、ｅｖｏｌｕｔｉｏｎａｌ  Ｎｏｄｅ  Ｂ）、又は、５Ｇシステムにおける集中・分散型アーキテクチャが採用される基地局であってよい。アクセスネットワーク装置１２０に集中・分散型アーキテクチャが採用される場合、通常、集中ユニット（ＣＵ、ｃｅｎｔｒａｌ  ｕｎｉｔ）と少なくとも２つの分散ユニット（ＤＵ、ｄｉｓｔｒｉｂｕｔｅｄ  ｕｎｉｔ）を含む。集中ユニットにはパケットデータ統合プロトコル（ＰＤＣＰ：Ｐａｃｋｅｔ  Ｄａｔａ  Ｃｏｎｖｅｒｇｅｎｃｅ  Ｐｒｏｔｏｃｏｌ）層、無線リンク層制御プロトコル（ＲＬＣ、Ｒａｄｉｏ  Ｌｉｎｋ  Ｃｏｎｔｒｏｌ）層、メディアアクセス制御（ＭＡＣ、Ｍｅｄｉａ  Ａｃｃｅｓｓ  Ｃｏｎｔｒｏｌ）層のプロトコルスタックが設けられ、分散ユニットには物理層（ＰＨＹ、Ｐｈｙｓｉｃａｌ）プロトコルスタックが設けられ、本発明の実施例はアクセスネットワーク装置１２０の具体的な実現方式を限定しない。選択肢として、アクセスネットワーク装置は更にホーム基地局（ＨｅＮＢ、Ｈｏｍｅ  ｅＮＢ）、中継（Ｒｅｌａｙ）、ピコ基地局（Ｐｉｃｏ）等を含んでもよい。
【００３６】
アクセスネットワーク装置１２０と端末１４０は無線エアインターフェイスを介して無線接続を確立する。選択肢として、該無線エアインターフェイスは５Ｇ基準に基づく無線エアインターフェイスであり、例えば、該無線エアインターフェイスは新エアインターフェイス（ＮＲ、Ｎｅｗ  Ｒａｄｉｏ）であり、又は、該無線エアインターフェイスは、５Ｇよりも更に次の世代の移動通信ネットワーク技術基準に基づく無線エアインターフェイスであってもよく、又は、該無線エアインターフェイスは４Ｇ基準（ＬＴＥシステム）に基づく無線エアインターフェイスであってもよい。アクセスネットワーク装置１２０は無線接続によって端末１４０から送信されたアップリンク制御情報を受信できる。
【００３７】
端末１４０とはアクセスネットワーク装置１２０とデータ通信を行う装置を指してもよい。端末１４０は無線アクセスネットワーク（ＲＡＮ、Ｒａｄｉｏ  Ａｃｃｅｓｓ  Ｎｅｔｗｏｒｋ）経由で１つ又は複数のコアネットワークと通信でき、端末１４０はモバイル端末、例えば、携帯電話（「セルラー方式」電話とも称される）、及びモバイル端末を有するコンピュータであってよく、例えば、ポータブル、ポケットサイズ、手持ち式、コンピュータに内蔵された又は車載のモバイル装置であってよい。例えば、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、移動局（Ｍｏｂｉｌｅ  Ｓｔａｔｉｏｎ）、移動台（Ｍｏｂｉｌｅ）、遠隔局（Ｒｅｍｏｔｅ  Ｓｔａｔｉｏｎ）、アクセスポイント（Ａｃｃｅｓｓ  Ｐｏｉｎｔ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ装置（Ｕｓｅｒ  Ｔｅｒｍｉｎａｌ）、ユーザエージェント（Ｕｓｅｒ  Ａｇｅｎｔ）、端末（Ｕｓｅｒ  Ｄｅｖｉｃｅ）、又はユーザ端末（ＵＥ、Ｕｓｅｒ  Ｅｑｕｉｐｍｅｎｔ）。選択肢として、端末１４０は更に中継（Ｒｅｌａｙ）装置であってもよく、本実施例はそれを限定しない。端末１４０はアクセスネットワーク装置１２０との無線接続によってアクセスネットワーク装置１２０にアップリンク信号を送信できる。
【００３８】
選択肢として、端末１４０は物理アップリンク制御チャネル（ＰＵＣＣＨ、Ｐｈｙｓｉｃａｌ  Ｕｐｌｉｎｋ  Ｃｏｎｔｒｏｌ  Ｃｈａｎｎｅｌ）を介してアクセスネットワーク装置１２０にアップリンク制御情報を送信する。
【００３９】
選択肢として、ＰＵＣＣＨは集約ＰＵＣＣＨ（ｌｏｎｇ  ＰＵＣＣＨ  ｏｖｅｒ  ｍｕｌｔｉｐｌｅ  ｓｌｏｔｓ）であってもよい。端末は集約ＰＵＣＣＨを介してアップリンク制御情報を送信する場合、まずどのリソースが集約ＰＵＣＣＨのリソースであるかを決定する必要があり、決定したリソースを使用してアップリンク制御情報を送信する。
【００４０】
なお、図１に示す移動通信システムは、複数のアクセスネットワーク装置１２０及び／又は複数の端末１４０を備えてもよく、図１には、例として、１つのアクセスネットワーク装置１２０及び１つの端末１４０を示すが、本実施例はそれを限定しない。
【００４１】
本願において、集約ＰＵＣＣＨはアクセスネットワーク装置が設定した、異なるタイムスロットにおいて同じアップリンク制御情報を伝送するためのＰＵＣＣＨである。
【００４２】
選択肢として、端末は集約ＰＵＣＣＨを介して同じアップリンク制御情報を送信してもよく、又は集約ＰＵＣＣＨを介して異なるアップリンク制御情報を送信してもよい。同じアップリンク制御情報は情報内容が同じということであってもよく、情報内容及び伝送方式が同じということであってもよく、本実施例はそれを限定しない。
【００４３】
各タイムスロットは少なくとも１つのシンボル（時間領域におけるシンボル）を含み、模式的に、各タイムスロットは１４個のシンボルを含む。
【００４４】
選択肢として、アクセスネットワーク装置が集約ＰＵＣＣＨの占有する時間領域リソースを設定することは、事前定義による設定、及び／又は、上位層シグナリングによる事前設定、及び／又は、物理層シグナリングによる設定等であってもよい。模式的に、上位層シグナリングによって集約ＰＵＣＣＨが時間領域リソースを占有する少なくとも１種の情況を定義し、アクセスネットワーク装置は少なくとも１種の情況から１種の情況を選択して集約ＰＵＣＣＨの時間領域リソースを設定し、そして物理層シグナリングを介して、集約ＰＵＣＣＨに設定した時間領域リソースを端末に通知する。例えば、アクセスネットワーク装置は端末に設定情報を送信することによって、集約ＰＵＣＣＨに設定した時間領域リソースを端末に通知する。
【００４５】
例えば、上位層シグナリングにおいて定義した集約ＰＵＣＣＨが時間領域リソースを占有する情況は、以下の３つである。
【００４６】
第１の情況：各タイムスロットにおける４番目のシンボルから１４番目のシンボルまで。
【００４７】
第２の情況：各タイムスロットにおける４番目のシンボルから１３番目のシンボルまで。
【００４８】
第３の情況：各タイムスロットにおける７番目のシンボルから１４番目のシンボルまで。
【００４９】
アクセスネットワーク装置が第２の情況に基づいて集約ＰＵＣＣＨの時間領域リソースを設定した場合、端末は各タイムスロットにおける４番目〜１３番目のシンボルを介して、集約ＰＵＣＣＨを介して伝送すべきアップリンク制御情報を伝送する。
【００５０】
当然ながら、上記の集約ＰＵＣＣＨの時間領域リソースを設定する方式、及び集約ＰＵＣＣＨの時間領域リソースの指示方式は単に例示的なもので、実際に実現する場合、アクセスネットワーク装置が自ら集約ＰＵＣＣＨの時間領域リソースの設定方式を決定してもよく、本実施例はそれを限定しない。
【００５１】
選択肢として、集約ＰＵＣＣＨの各タイムスロットにおいて占有するシンボルの個数は同じであり、又は、集約ＰＵＣＣＨの各タイムスロットにおいて占有するシンボルの個数は異なる。
【００５２】
選択肢として、集約ＰＵＣＣＨの各タイムスロットにおいて占有するシンボル識別子は同じであり、又は、集約ＰＵＣＣＨの各タイムスロットにおいて占有するシンボル識別子は異なる。
【００５３】
選択肢として、集約ＰＵＣＣＨは複数タイムスロットにおける長いＰＵＣＣＨ、又は、長いＰＵＣＣＨ等と称されてもよく、本実施例は集約ＰＵＣＣＨの名称について限定しない。
【００５４】
選択肢として、本願では集約ＰＵＣＣＨの周波数領域位置について限定せず、模式的に、異なるタイムスロットにおける集約ＰＵＣＣＨの周波数領域位置は同じであり、又は、異なるタイムスロットにおける集約ＰＵＣＣＨの周波数領域位置は異なる。
【００５５】
選択肢として、本願において、時間領域リソースは物理リソースブロック（ＰＲＢ、Ｐｈｙｓｉｃａｌ  Ｒｅｓｏｕｒｃｅ  Ｂｌｏｃｋ）、物理リソースブロックペア（ＰＲＢ  ｐａｉｒ、Ｐｈｙｓｉｃａｌ  Ｒｅｓｏｕｒｃｅ  Ｂｌｏｃｋ  ｐａｉｒ）、物理リソースブロックグループ（ＲＢＧ、Ｐｈｙｓｉｃａｌ  Ｒｅｓｏｕｒｃｅ  Ｂｌｏｃｋ  Ｇｒｏｕｐ）、又は、バーチャルリソースブロック（ＶＲＢ、Ｖｉｒｔｕａｌ  Ｒｅｓｏｕｒｃｅ  Ｂｌｏｃｋ）の時間領域におけるリソースであってもよい。選択肢として、１つのＰＲＢ  ｐａｉｒは周波数領域において１２個の連続するサブキャリアを含み、時間領域において１４個の連続するシンボルを含む。シンボルは１つのサブキャリアの所在する周波数領域が１５ｋＨｚである移動通信システムの直交周波数分割多重方式（ＯＦＤＭ、Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル、又は、シングルキャリア周波数分割多元接続（ＳＣ−ＦＤＭＡ、Ｓｉｎｇｌｅ−ｃａｒｒｉｅｒ  Ｆｒｅｑｕｅｎｃｙ−Ｄｉｖｉｓｉｏｎ  Ｍｕｌｔｉｐｌｅ  Ａｃｃｅｓｓ）シンボルであり、又は、シンボルは１つのサブキャリアの所在する周波数領域が１５ｋＨｚより大きい通信システムのシンボルである。１つのＰＲＢは時間領域において１つの伝送時間長のリソースを占有し、異なる移動通信バージョンにおいて、伝送時間長は１つのシンボルから１４個のシンボルまでの任意のシンボルの個数であってよい。
【００５６】
図２は本願の例示的な実施例によるリソース決定方法のフローチャートを示す。本実施例では各ステップを実行する主体が端末であるのを例として説明し、該端末は図１に示す通信システム１００における端末１４０であってもよい。本方法は以下のステップ２０１〜２０２を含む。
【００５７】
ステップ２０１では、端末は第１設定情報と第２設定情報に基づいて、アップリンク制御情報を送信するための集約ＰＵＣＣＨの第１時間領域リソースを決定する。
【００５８】
第１設定情報はアクセスネットワーク装置から端末に送信される。第１設定情報は、アクセスネットワーク装置が集約ＰＵＣＣＨに設定した第２時間領域リソースを示すことに用いられ、第１時間領域リソースは第２時間領域リソースに属する。
【００５９】
模式的に、端末が全部の第２時間領域リソースを使用してアップリンク制御情報を送信する必要がある場合、第１時間領域リソースは第２時間領域リソースと同じであり、端末が一部の第２時間領域リソースのみを使用してアップリンク制御情報を送信する場合、第１時間領域リソースは第２時間領域リソースの一部である。
【００６０】
第２設定情報はアクセスネットワーク装置から端末に送信される。第２設定情報は、アクセスネットワーク装置が設定したアップリンク信号伝送のための第３時間領域リソースを示すことに用いられる。
【００６１】
選択肢として、第２設定情報は、アクセスネットワーク装置が設定したダウンリンク信号伝送のための時間領域リソースを示してもよい。例えば、第２設定情報がサブフレームのフォーマットを示すことに用いられる場合、第２設定情報は、アクセスネットワーク装置が設定したアップリンク信号伝送のための第３時間領域リソースを示すことができると同時に、アクセスネットワーク装置が設定したダウンリンク信号伝送のための時間領域リソースを示すこともできる。
【００６２】
端末は第２設定情報に基づいてアップリンク伝送のための使用可能な時間領域リソースを決定でき、使用可能な時間領域リソースとは、端末がアップリンク制御情報を伝送できる時間領域リソースを指す。
【００６３】
選択肢として、第２設定情報は準静的に設定された情報であり、及び／又は、第２設定情報は半持続的に設定された情報であり、及び／又は、第２設定情報は動的に設定された情報であってもよい。
【００６４】
選択肢として、本願において、準静的に設定された情報及び半持続的に設定された情報は、アップリンク信号を伝送する時間領域リソースを一定周期おきに設定するのを示すことに用いられ、動的に設定された情報はアップリンク信号を伝送する時間領域リソースを動的に示すことに用いられる。
【００６５】
選択肢として、アクセスネットワーク装置は同時に第１設定情報と第２設定情報を送信し、又は、アクセスネットワーク装置はまず第１設定情報を送信し、それから第２設定情報を送信し、又は、アクセスネットワーク装置はまず第２設定情報を送信し、それから第１設定情報を送信し、本実施例は第１設定情報と第２設定情報の送信のタイミングについて限定しない。
【００６６】
ステップ２０２では、端末はｎ個のタイムスロットにおいて、第１時間領域リソースを介してアクセスネットワーク装置にアップリンク制御情報を送信し、ｎは正の整数である。
【００６７】
端末の信号送信電力が小さい場合、端末は、アクセスネットワーク装置が受信した情報に基づいてアップリンク制御情報をうまく解析するのを確保するために、同一のアップリンク制御情報を複数回送信する必要があり、このとき、端末はｎ個のタイムスロットにおける第１時間領域リソースを使用して該アップリンク制御情報を送信する。
【００６８】
上記を纏めて、本実施例によるリソース決定方法では、端末は第１設定情報と第２設定情報によってアップリンク制御情報を送信する集約ＰＵＣＣＨの時間領域リソースを決定する。第１設定情報リソースに基づいてアクセスネットワーク装置に設定された集約ＰＵＣＣＨの第２時間領域リソースを決定でき、第２設定情報リソースに基づいてアップリンク伝送のための使用可能な時間領域リソースを決定できるため、アクセスネットワーク装置が制御シグナリングを別途に送信してアップリンク制御情報を伝送するための時間領域リソースを示す必要がなく、端末は第２時間領域リソースにおける使用可能な時間領域リソースを直接に使用してアップリンク制御情報を伝送でき、制御シグナリングのオーバヘッドが大きいという課題を解決でき、制御情報のオーバヘッドを節約できる。
【００６９】
また、アクセスネットワーク装置が動的に第３時間領域リソースを設定するシーンにおいて、アクセスネットワーク装置が別途に制御シグナリングを送信して第２時間領域リソースにおけるアップリンク制御情報伝送のための時間領域リソースを示す場合、以下の情況が生じうる。
【００７０】
アクセスネットワーク装置は動的に設定した第２設定情報を端末に送信し、そして該第２設定情報に基づいて制御シグナリングを生成し、該制御シグナリングは、タイムスロット１における４番目のシンボル及びタイムスロット２における４番目のシンボルを使用してアップリンク制御情報を送信するように端末に指示する。
【００７１】
端末は制御シグナリングを受信し、タイムスロット１における４番目のシンボル及びタイムスロット２における４番目のシンボルを使用してアップリンク制御情報を送信する。
【００７２】
端末がタイムスロット２における４番目のシンボルでアップリンク制御情報を送信する前に、端末がアクセスネットワーク装置から二回目に送信された動的に設定した第２設定情報を受信し、該第２設定情報がタイムスロット２における４番目のシンボルをダウンリンク信号伝送に使用することを示した場合、端末は依然として制御シグナリングに基づいてタイムスロット２における４番目のシンボルでアップリンク制御情報を伝送する可能性があり、そうすると、リソース設定のエラーとなる。
【００７３】
これに対して、本願において、端末は第１設定情報及び第２設定情報に基づいて、アップリンク制御情報を送信するときに使用する時間領域リソースを決定し、第２設定情報の影響を考慮したため、リソース設定エラーの問題が発生することなく、動的に第３時間領域リソースを設定するシーンにおけるアップリンク制御情報の正常な伝送を確保できる。
【００７４】
また、第１設定情報の示す集約ＰＵＣＣＨの時間領域リソースは異なるタイムスロットに適し、一方、制御シグナリングは各タイムスロットにおける集約ＰＵＣＣＨの時間領域リソースを示す必要があるため、制御シグナリングのシグナリング長は第１設定情報のシグナリング長より長い。例えば、第１設定情報は各タイムスロットにおける４番目〜１４番目のシンボルを示すことに用いられ、一方、制御シグナリングは１番目のタイムスロットにおける１、３、５番目のシンボル、２番目のタイムスロットにおける３番目のシンボル、３番目のタイムスロットにおける４番目のシンボル…を示し、このとき、第１設定情報のシグナリング長は制御シグナリングのシグナリング長より短い。
【００７５】
図３は本願の例示的な実施例によるリソース決定方法のフローチャートを示す。本実施例では各ステップを実行する主体がアクセスネットワーク装置であるのを例として説明し、該アクセスネットワーク装置は図１に示す通信システム１００におけるアクセスネットワーク装置１２０であってもよい。本方法は以下のステップ３０１〜３０２を含む。
【００７６】
ステップ３０１では、アクセスネットワーク装置は第１設定情報と第２設定情報に基づいて、アップリンク制御情報を伝送するための集約ＰＵＣＣＨの第１時間領域リソースを決定する。
【００７７】
第１設定情報は、アクセスネットワーク装置が集約ＰＵＣＣＨに設定した第２時間領域リソースを示すことに用いられ、第１時間領域リソースは第２時間領域リソースに属する。
【００７８】
第１設定情報に関する詳しい説明についてはステップ３０１を参照でき、ここでは繰り返して説明しない。
【００７９】
第２設定情報は、アクセスネットワーク装置が設定したアップリンク信号伝送のための第３時間領域リソースを示すことに用いられる。
【００８０】
第２設定情報に関する詳しい説明についてはステップ３０１を参照でき、ここでは繰り返して説明しない。
【００８１】
ステップ３０２では、アクセスネットワーク装置はｎ個のタイムスロットにおいて、第１時間領域リソースを介して端末の送信したアップリンク制御情報を受信し、ｎは正の整数である。
【００８２】
上記を纏めて、本実施例によるリソース決定方法では、アクセスネットワーク装置は第１設定情報と第２設定情報によってアップリンク制御情報の集約ＰＵＣＣＨの時間領域リソースを決定し、第１設定情報リソースに基づいてアクセスネットワーク装置に設定された集約ＰＵＣＣＨの第２時間領域リソースを決定でき、第２設定情報リソースに基づいてアップリンク伝送のための使用可能な時間領域リソースを決定できるため、アクセスネットワーク装置は、制御シグナリングを別途に生成してアップリンク制御情報を伝送するための時間領域リソースを示す必要がなく、第２時間領域リソースにおける使用可能な時間領域リソースを直接に使用してアップリンク制御情報を伝送でき、制御シグナリングのオーバヘッドが大きいという課題を解決でき、制御情報のオーバヘッドを節約できる。
【００８３】
図４は本願の例示的な実施例によるリソース決定方法のフローチャートを示す。本実施例は該方法を図１の示す通信システム１００に用いるのを例にして説明する。本方法は以下のステップ４０１〜４０８を含む。
【００８４】
ステップ４０１では、アクセスネットワーク装置は端末に第１設定情報を送信する。
【００８５】
第１設定情報は、アクセスネットワーク装置が集約ＰＵＣＣＨに設定した第２時間領域リソースを示すことに用いられる。
【００８６】
選択肢として、第１設定情報が第２時間領域リソースを示す方式は、以下の方式のうちの１つである。
【００８７】
第１の方式：タイムスロット数及び各タイムスロットにおける集約ＰＵＣＣＨのシンボルの個数を示す。
【００８８】
例えば、第１設定情報は、タイムスロット数が４であり、各タイムスロットにおける集約ＰＵＣＣＨのシンボルの個数が１１であることを示す。
【００８９】
選択肢として、この方法において、タイムスロット識別子、各タイムスロットにおける集約ＰＵＣＣＨの時間開始点、及び各タイムスロットにおける集約ＰＵＣＣＨの時間終了点のうちの少なくとも１つは、他のシグナリングによって取得してもよい。
【００９０】
選択肢として、タイムスロット識別子はタイムスロット番号であってもよく、例えば、タイムスロット識別子４は４番目のタイムスロットを表すことに用いられる。
【００９１】
選択肢として、あるタイムスロットにとって、集約ＰＵＣＣＨの時間開始点とは、該タイムスロットにおける集約ＰＵＣＣＨに用いられる連続シンボルのうちの１番目のシンボルを指し、集約ＰＵＣＣＨの時間終了点とは、該タイムスロットにおける集約ＰＵＣＣＨに用いられる連続シンボルのうちの最後のシンボルを指す。
【００９２】
第２の方式：タイムスロット数、各タイムスロットにおける集約ＰＵＣＣＨの時間開始点及びシンボルの個数を示す。
【００９３】
例えば、第１設定情報は、タイムスロット数が４であり、各タイムスロットにおける集約ＰＵＣＣＨの時間開始点が４番目のシンボルであり、持続長が１１個のシンボルであることを示す。
【００９４】
選択肢として、この方法では、タイムスロット識別子は他のシグナリングによって取得してもよい。
【００９５】
第３の方式：タイムスロット数、各タイムスロットにおける集約ＰＵＣＣＨの時間終了点及びシンボルの個数を示す。
【００９６】
例えば、第１設定情報は、タイムスロット数が４であり、各タイムスロットにおける集約ＰＵＣＣＨの時間開始点が１４番目のシンボルであり、持続長が１１個のシンボルであることを示す。
【００９７】
選択肢として、この方法では、タイムスロット識別子は他のシグナリングによって取得してもよい。
【００９８】
第４の方式：タイムスロット数及び各タイムスロットにおける集約ＰＵＣＣＨのシンボル識別子を示す。
【００９９】
例えば、第１設定情報は、タイムスロット数が４であり、各タイムスロットにおける集約ＰＵＣＣＨのシンボル識別子が｛４，５，６，７，８，９，１０，１１，１２，１３，１４｝であることを示す。
【０１００】
選択肢として、シンボル識別子はシンボルの番号であってもよく、例えば、シンボル識別子５は５番目のシンボルを表すことに用いられる。
【０１０１】
選択肢として、この方法では、タイムスロット識別子は他のシグナリングによって取得してもよい。
【０１０２】
第５の方式：タイムスロット識別子及び各タイムスロットにおける集約ＰＵＣＣＨのシンボルの個数を示す。
【０１０３】
例えば、第１設定情報は、タイムスロット識別子が｛１  ２  ３  ４｝であり、各タイムスロットにおける集約ＰＵＣＣＨのシンボルの個数が１１であることを示す。
【０１０４】
選択肢として、この方法では、各タイムスロットにおける集約ＰＵＣＣＨの時間開始点、及び各タイムスロットにおける集約ＰＵＣＣＨの時間終了点のうちの少なくとも１つは、他のシグナリングによって取得してもよい。
【０１０５】
第６の方式：タイムスロット識別子、各タイムスロットにおける集約ＰＵＣＣＨの時間開始点及びシンボルの個数を示す。
【０１０６】
例えば、第１設定情報は、タイムスロット識別子が｛１  ２  ３  ４｝であり、各タイムスロットにおける集約ＰＵＣＣＨの時間開始点が４番目のシンボルであり、持続長が１１個のシンボルであることを示す。
【０１０７】
第７の方式：タイムスロット識別子、各タイムスロットにおける集約ＰＵＣＣＨの時間終了点及びシンボルの個数を示す。
【０１０８】
例えば、第１設定情報は、タイムスロット識別子が｛１  ２  ３  ４｝であり、各タイムスロットにおける集約ＰＵＣＣＨの時間開始点が１４番目のシンボルであり、持続長が１１個のシンボルであることを示す。
【０１０９】
第８の方式：タイムスロット識別子及び各タイムスロットにおける集約ＰＵＣＣＨのシンボル識別子を示す。
【０１１０】
例えば、第１設定情報は、タイムスロット識別子が｛１  ２  ３  ４｝であり、各タイムスロットにおける集約ＰＵＣＣＨのシンボル識別子が｛４，５，６，７，８，９，１０，１１，１２，１３，１４｝であることを示す。
【０１１１】
当然ながら、第１設定情報が第２時間領域リソースを示す方式は他の方式、例えば、タイムスロットの開始点、タイムスロット長、及び各タイムスロットにおける集約ＰＵＣＣＨのシンボルの個数を示すこと、タイムスロットの開始点、タイムスロット長、各タイムスロットにおける集約ＰＵＣＣＨの時間開始点及びシンボルの個数を示すこと、タイムスロットの開始点、タイムスロット長、各タイムスロットにおける集約ＰＵＣＣＨの時間終了点及びシンボルの個数を示すこと、タイムスロットの開始点、タイムスロット長、及び各タイムスロットにおける集約ＰＵＣＣＨのシンボル識別子を示すこと、タイムスロットの終了点、タイムスロット長、及び各タイムスロットにおける集約ＰＵＣＣＨのシンボルの個数を示すこと、タイムスロットの終了点、タイムスロット長、各タイムスロットにおける集約ＰＵＣＣＨの時間開始点及びシンボルの個数を示すこと、タイムスロットの終了点、タイムスロット長、各タイムスロットにおける集約ＰＵＣＣＨの時間終了点及びシンボルの個数を示すこと、タイムスロットの終了点、タイムスロット長、及び各タイムスロットにおける集約ＰＵＣＣＨのシンボル識別子を示すことであってもよいが、本実施例ではここで網羅的に列挙しない。
【０１１２】
ステップ４０２では、端末はアクセスネットワーク装置から送信された第１設定情報を受信する。
【０１１３】
ステップ４０３では、アクセスネットワーク装置は端末に第２設定情報を送信する。
【０１１４】
第２設定情報は、アクセスネットワーク装置が設定したアップリンク信号伝送のための第３時間領域リソースを示すことに用いられる。
【０１１５】
第２設定情報は使用可能な時間領域リソースを決定することに用いられる。
【０１１６】
選択肢として、第２設定情報は準静的に設定された情報であり、及び／又は、第２設定情報は半持続的に設定された情報であり、及び／又は、第２設定情報は動的に設定された情報である。
【０１１７】
選択肢として、準静的に設定された情報及び／又は半持続的に設定された情報は、アップリンクチャネル品質測定（又は、測定参照信号と称される）（ＳＲＳ、Ｓｏｕｎｄｉｎｇ  Ｒｅｆｅｒｅｎｃｅ  Ｓｉｇｎａｌ）の占有する時間領域リソースを示すことに用いられる設定情報、及び／又は、準静的サブフレームのフォーマットを示すことに用いられる設定情報であってもよい。
【０１１８】
ＳＲＳは、アップリンクチャネルのチャネル品質を測定することに用いられ、サブフレームのフォーマットは、あるサブフレームでの各シンボルにおけるデータ伝送の方向を示すことに用いられる。例えば、サブフレームのフォーマットは｛ＤＤＳＵＵＵＵＵＵＵＵＵＵＵ｝であり、ここで、Ｄは対応するシンボルにおいてダウンリンク信号しか送信できないことを表し、Ｕは対応するシンボルにおいてアップリンク信号しか送信できないことを表し、Ｓは特殊なサブフレームを表し、一般的にダウンリンク信号の送信に用いられる。選択肢として、本実施例ではサブフレームのフォーマットに対応するシンボルの個数について限定しない。例えば、サブフレームのフォーマットに対応するシンボルの個数は１つのタイムスロットにおけるシンボルの個数と同じであり、サブフレームのフォーマットにおける各位置は該タイムスロットにおける対応の位置のシンボルの伝送方向を示すことに用いられる。
【０１１９】
選択肢として、動的に設定された情報は動的なサブフレームのフォーマットを示すことに用いられる設定情報であってもよい。
【０１２０】
１つの例において、第２設定情報はＳＲＳの占有する時間領域リソースを示すことに用いられる設定情報を含む場合、端末がＳＲＳの占有する時間領域リソースに基づいて決定した使用可能な時間領域リソースは、タイムスロットにおける、ＳＲＳの占有する時間領域リソース以外の時間領域リソースである。
【０１２１】
他の例において、第２設定情報はサブフレームのフォーマットを示すことに用いられる設定情報を含む場合、端末がサブフレームのフォーマットに基づいて決定した使用可能な時間領域リソースは、タイムスロットにおける、伝送方向がアップリンク伝送である時間領域リソースである。
【０１２２】
なお、上記の準静的に設定された情報、半持続的に設定された情報、及び動的に設定された情報について挙げた例は、単に模式的なものであり、実際に実現される際は、他のアップリンク信号の設定情報であってもよい。
【０１２３】
ステップ４０４では、端末はアクセスネットワーク装置から送信された第２設定情報を受信する。
【０１２４】
選択肢として、アクセスネットワーク装置はまず第１設定情報を送信し、それから第２設定情報を送信し、即ち、ステップ４０３と４０４をステップ４０１と４０２の後に実行してもよく、及び／又は、アクセスネットワーク装置はまず第２設定情報を送信し、それから第１設定情報を送信し、即ち、ステップ４０３と４０４をステップ４０１と４０２の前に実行してもよく、及び／又は、アクセスネットワーク装置は第１設定情報と第２設定情報を同時に送信し、即ち、ステップ４０１と４０３を同時に実行し、ステップ４０２と４０４を同時に実行してもよく、本実施例では第１設定情報と第２設定情報の伝送タイミングについて限定しない。
【０１２５】
例えば、第２設定情報は、ＳＲＳの占有する時間領域リソースを示すことに用いられる設定情報、準静的に設定されたサブフレームのフォーマットの設定情報、及び動的に設定されたサブフレームのフォーマットの設定情報を含み、ＳＲＳの占有する時間領域リソースを示すことに用いられる設定情報は、第１設定情報の前にアクセスネットワーク装置から端末に送信され、準静的に設定されたサブフレームのフォーマットの設定情報は、第１設定情報と同時にアクセスネットワーク装置から端末に送信され、動的に設定されたサブフレームのフォーマットの設定情報は、第１設定情報の後にアクセスネットワーク装置から端末に送信される。
【０１２６】
ステップ４０５では、端末は第１設定情報と第２設定情報に基づいて、アップリンク制御情報を送信するための集約ＰＵＣＣＨの第１時間領域リソースを決定する。
【０１２７】
選択肢として、第１時間領域リソースは第２時間領域リソースと使用可能な時間領域リソースとの共通部分である。
【０１２８】
端末が第１時間領域リソースを決定する方式をより明確に理解してもらうために、以下は３つの実例で決定方式を説明する。実例１（図５を参照）では、第２設定情報が、ＳＲＳの占有する時間領域リソースを示すことに用いられる設定情報、準静的なサブフレームのフォーマットの設定情報、及び動的なサブフレームのフォーマットの設定情報を含むのを例として説明する。実例２（図６を参照）では、第２設定情報が、ＳＲＳの占有する時間領域リソースを示すことに用いられる設定情報、準静的なサブフレームのフォーマットの設定情報を含むのを例として説明する。実例３（図７を参照）では、第２設定情報が、動的なサブフレームのフォーマットのための設定情報を含むのを例として説明する。
【０１２９】
図５を参照して、仮に第１設定情報の示した第２時間領域リソース、即ち、アクセスネットワーク装置が集約ＰＵＣＣＨに設定した時間領域リソースはｉ番目〜ｉ＋３番目のタイムスロットに位置し、且つ各タイムスロットにおける４番目〜１４番目のシンボルに位置し、第２設定情報の示したＳＲＳの占有する時間領域リソースの設定情報は、周期が１０ｍｓであり、オフセットが１ｍｓであり、タイムスロット内の最後の１つのシンボルであるものであり、第２設定情報の示した準静的なサブフレームのフォーマットの設定情報は｛ＤＤＳＵＵＵＵＵＵＵＵＵＵＵ｝であり、動的なサブフレームのフォーマットの設定情報は｛ＤＤＤＤＤＤＳＵＵＵＵＵＵＵ，ＤＤＳＵＵＵＵＵＵＵＵＵＵＵ，ＤＤＳＵＵＵＵＵＵＵＵＵＵＵ，ＤＤＤＤＤＳＵＵＵＵＵＵＵＵ｝であるとする。ｉは正の整数である。
【０１３０】
各タイムスロットが１４個のシンボルを含むのを例とすると、第２時間領域リソースは各タイムスロットにおける４番目〜１４番目のシンボルであるため、各タイムスロットの４番目のシンボルから決定すればよい。
【０１３１】
ｉ番目のタイムスロットにおいて、４番目のシンボルについて、準静的なサブフレームのフォーマットに基づいて４番目のシンボルをアップリンク伝送に使用することを決定し、動的なサブフレームのフォーマットに基づいて４番目のシンボルをダウンリンク伝送に使用することを決定し、そうすると、４番目のシンボルは使用可能な時間領域リソースではない。
【０１３２】
５番目のシンボルについて、準静的なサブフレームのフォーマットに基づいて５番目のシンボルをアップリンク伝送に使用することを決定し、動的なサブフレームのフォーマットに基づいて５番目のシンボルをダウンリンク伝送に使用することを決定し、そうすると、５番目のシンボルは使用可能な時間領域リソースではない。
【０１３３】
６番目のシンボルについて、準静的なサブフレームのフォーマットに基づいて６番目のシンボルをアップリンク伝送に使用することを決定し、動的なサブフレームのフォーマットに基づいて６番目のシンボルをダウンリンク伝送に使用することを決定し、そうすると、６番目のシンボルは使用可能な時間領域リソースではない。
【０１３４】
７番目のシンボルについて、準静的なサブフレームのフォーマットに基づいて７番目のシンボルをアップリンク伝送に使用することを決定し、動的なサブフレームのフォーマットに基づいて７番目のシンボルをダウンリンク伝送に使用することを決定し、そうすると、７番目のシンボルは使用可能な時間領域リソースではない。
【０１３５】
８番目のシンボルについて、準静的なサブフレームのフォーマットに基づいて８番目のシンボルをアップリンク伝送に使用することを決定し、動的なサブフレームのフォーマットに基づいて８番目のシンボルをアップリンク伝送に使用することを決定し、ＳＲＳの占有する時間領域リソースに基づいて８番目のシンボルはＳＲＳを伝送する時間領域リソースではないことを決定し、そうすると、８番目のシンボルは使用可能な時間領域リソースである。
【０１３６】
９番目のシンボルについて、準静的なサブフレームのフォーマットに基づいて９番目のシンボルをアップリンク伝送に使用することを決定し、動的なサブフレームのフォーマットに基づいて９番目のシンボルをアップリンク伝送に使用することを決定し、ＳＲＳの占有する時間領域リソースに基づいて９番目のシンボルはＳＲＳを伝送する時間領域リソースではないことを決定し、そうすると、９番目のシンボルは使用可能な時間領域リソースである。
【０１３７】
上記と同じ決定方式によって、ｉ番目のタイムスロットにおける第１時間領域リソースが８番目のシンボルから１４番目のシンボルであることを決定できる。
【０１３８】
上記と同じ決定方式によって、ｉ＋１番目のタイムスロットにおける第１時間領域リソースが４番目のシンボルから１３番目のシンボルであることを決定でき、上記と同じ決定方式によって、ｉ＋２番目のタイムスロットにおける第１時間領域リソースが４番目のシンボルから１４番目のシンボルであることを決定でき、上記と同じ決定方式によって、ｉ＋３番目のタイムスロットにおける第１時間領域リソースが７番目のシンボルから１４番目のシンボルであることを決定できる（図面の一番下の棒の網掛け部分が示すように）。
【０１３９】
上記から分かるように、本実例では端末は準静的に設定された情報及び動的に設定された情報に基づき、又は、端末は半持続的に設定された情報及び動的に設定された情報に基づいて、第１時間領域リソースを決定する。
【０１４０】
図６を参照して、仮に第１設定情報の示した第２時間領域リソース、即ち、アクセスネットワーク装置が集約ＰＵＣＣＨに設定した時間領域リソースはｉ番目〜ｉ＋３番目のタイムスロットに位置し、且つ各タイムスロットにおける４番目〜１４番目のシンボルに位置し、第２設定情報の示したＳＲＳの占有する時間領域リソースの設定情報は、周期が１０ｍｓであり、オフセットが１ｍｓであり、タイムスロット内の最後の１つのシンボルであるものであり、第２設定情報の示した準静的なサブフレームのフォーマットの設定情報は｛ＤＤＳＵＵＵＵＵＵＵＵＵＵＵ｝であるとする。
【０１４１】
各タイムスロットが１４個のシンボルを含むのを例とすると、第２時間領域リソースは各タイムスロットにおける４番目〜１４番目のシンボルであるため、各タイムスロットの４番目のシンボルから決定すればよい。
【０１４２】
図５に示す決定方式（本実例は図５に用いられる第２設定情報のタイプと異なるだけである）から決定できるように、ｉ番目のタイムスロットにおける第１時間領域リソースは４番目〜１４番目のシンボルであり、ｉ＋１番目のタイムスロットにおける第１時間領域リソースは４番目〜１３番目のシンボルであり、ｉ＋２番目のタイムスロットにおける第１時間領域リソースは４番目〜１４番目のシンボルであり、ｉ＋３番目のタイムスロットにおける第１時間領域リソースは４番目〜１４番目のシンボルである（図面の一番下の棒の網掛け部分が示すように）。
【０１４３】
上記から分かるように、本実例では端末は準静的に設定された情報、又は半持続的に設定された情報と動的に設定された情報に基づいて、第１時間領域リソースを決定する。
【０１４４】
図７を参照して  、仮に第１設定情報の示した第２時間領域リソース、即ち、アクセスネットワーク装置が集約ＰＵＣＣＨに設定した時間領域リソースはｉ番目〜ｉ＋３番目のタイムスロットに位置し、且つ各タイムスロットにおける４番目〜１４番目のシンボルに位置し、第２設定情報の示した動的なサブフレームのフォーマットの設定情報は｛ＤＤＤＤＤＤＳＵＵＵＵＵＵＵ，ＤＤＳＵＵＵＵＵＵＵＵＵＵＵ，ＤＤＳＵＵＵＵＵＵＵＵＵＵＵ，ＤＤＤＤＤＳＵＵＵＵＵＵＵＵ｝であるとする。
【０１４５】
各タイムスロットが１４個のシンボルを含むのを例とすると、第２時間領域リソースは各タイムスロットにおける４番目〜１４番目のシンボルであるため、各タイムスロットの４番目のシンボルから決定すればよい。
【０１４６】
図５に示す決定方式（本実例は図５に用いられる第２設定情報のタイプと異なるだけである）から決定できるように、ｉ番目のタイムスロットにおける第１時間領域リソースは８番目〜１４番目のシンボルであり、ｉ＋１番目のタイムスロットにおける第１時間領域リソースは４番目〜１４番目のシンボルであり、ｉ＋２番目のタイムスロットにおける第１時間領域リソースは４番目〜１４番目のシンボルであり、ｉ＋３番目のタイムスロットにおける第１時間領域リソースは７番目〜１４番目のシンボルである（図面の一番下の棒の網掛け部分が示すように）。
【０１４７】
上記から分かるように、本実例では端末は動的に設定された情報に基づいて、第１時間領域リソースを決定する。
【０１４８】
ステップ４０６では、端末はｎ個のタイムスロットにおいて、第１時間領域リソースを介してアクセスネットワーク装置にアップリンク制御情報を送信する。
【０１４９】
選択肢として、異なるタイムスロットで送信されるアップリンク制御情報は同じであり、又は、異なるタイムスロットで送信されるアップリンク制御情報は異なる。
【０１５０】
模式的に、端末はｎ個のタイムスロットにおける１番目のタイムスロットを介してアップリンク制御情報を送信し、それからｎ個のタイムスロットにおける２番目のタイムスロットを介してアップリンク制御情報を送信し…それからｎ個のタイムスロットにおけるｎ番目のタイムスロットを介してアップリンク制御情報を送信する。
【０１５１】
ステップ４０７では、アクセスネットワーク装置は第１設定情報と第２設定情報に基づいて、アップリンク制御情報を伝送するための集約ＰＵＣＣＨの第１時間領域リソースを決定する。
【０１５２】
アクセスネットワーク装置が第１時間領域リソースを決定する方式は、端末が第１時間領域リソースを決定する方式と同じである。このように、アクセスネットワーク装置は制御シグナリングを生成せずに第１時間領域リソースの位置を決定でき、且つ端末の決定した第１時間領域リソースと同じであってもよく、アクセスネットワーク装置が第１時間領域リソースを決定する正確性を確保する。
【０１５３】
選択肢として、アクセスネットワーク装置は第２設定情報に基づいて使用可能な時間領域リソースを決定し、それから第１設定情報の示した第２時間領域リソースと使用可能な時間領域リソースとの共通部分に基づいて第１時間領域リソースを決定する。換言すれば、アクセスネットワーク装置の決定した第１時間領域リソースは、第２時間領域リソースと使用可能な時間領域リソースとの共通部分である。
【０１５４】
ステップ４０８では、アクセスネットワーク装置はｎ個のタイムスロットにおいて、第１時間領域リソースを介して端末の送信したアップリンク制御情報を受信する。
【０１５５】
模式的に、アクセスネットワーク装置はｎ個のタイムスロットにおける１番目のタイムスロットにおいて、端末が１番目のスロットにおいて送信したアップリンク制御情報を受信し、それからｎ個のタイムスロットにおける２番目のタイムスロットを介して端末が２番目のタイムスロットにおいて送信したアップリンク制御情報を受信し…それからｎ個のタイムスロットにおけるｎ番目のタイムスロットを介して端末がｎ番目のタイムスロットにおいて送信したアップリンク制御情報を受信する。
【０１５６】
なお、アクセスネットワーク装置と端末との間に一定の距離があるため、絶対時間の角度から見れば、本実施例でアクセスネットワークがアップリンク制御情報を受信するｊ番目のタイムスロットの位置は、端末が該アップリンク制御情報を送信するｊ番目のタイムスロットの位置と異なる。換言すれば、アクセスネットワーク装置がアップリンク制御情報を受信するタイムスロットは、端末がアップリンク制御情報を送信するタイムスロットに比べて一定の遅延がある。ｊは正の整数であり、且つｊ≦ｎである。
【０１５７】
上記を纏めて、本実施例によるリソース決定方法では、第１設定情報と第２設定情報によってアップリンク制御情報を送信する集約ＰＵＣＣＨの時間領域リソースを決定し、第１設定情報リソースに基づいてアクセスネットワーク装置に設定された集約ＰＵＣＣＨの第２時間領域リソースを決定でき、第２設定情報リソースに基づいてアップリンク伝送のための使用可能な時間領域リソースを決定できるため、アクセスネットワーク装置が制御シグナリングを別途に送信してアップリンク制御情報を伝送するための時間領域リソースを示す必要がなく、端末とアクセスネットワーク装置は第２時間領域リソースにおける使用可能な時間領域リソースを直接に使用してアップリンク制御情報を伝送でき、制御シグナリングのオーバヘッドが大きいという課題を解決でき、制御情報のオーバヘッドを節約できる。
【０１５８】
選択肢として、上記ステップ４０１、４０３、４０７及び４０８は単独にアクセスネットワーク装置側の方法実施例として実現でき、上記ステップ４０２、４０４、４０５及び４０６は単独に端末側の方法実施例として実現できる。
【０１５９】
選択肢として、上記の実施例において、アクセスネットワーク装置がｎ個のタイムスロットの前のｍ個のタイムスロットにおいてアップリンク制御情報を受信した後、該アップリンク制御情報を既にうまく解析した場合、該アップリンク制御情報の送信を停止するように端末に指示（明示的な指示又は暗黙的な指示）してもよい。端末の、前のｍ個のタイムスロットにおいて送信するアップリンク制御情報は同じである。ｍは正の整数であり、且つ１≦ｍ＜ｎである。
【０１６０】
図８は本願の例示的な実施例によるリソース決定方法のフローチャートを示す。本実施例では該方法を図１に示す通信システム１００に用いるのを例にして説明する。図４に示す実施例によれば、該方法は更に以下のステップを含む。
【０１６１】
ステップ４０６の代替可能なステップとして、ステップ８０１では、端末はｍ個のタイムスロットにおいて、第１時間領域リソースを介してアクセスネットワーク装置に同一のアップリンク制御情報を送信する。
【０１６２】
ステップ４０７の代替可能なステップとして、ステップ８０２では、アクセスネットワーク装置はアップリンク制御情報を伝送するための集約ＰＵＣＣＨの第１時間領域リソースを決定する。
【０１６３】
ステップ４０８の代替可能なステップとして、ステップ８０３では、アクセスネットワーク装置はｍ個のタイムスロットにおいて、第１時間領域リソースを介して端末の送信した同一のアップリンク制御情報を受信する。
【０１６４】
ステップ８０４では、アクセスネットワーク装置は端末にダウンリンク指示情報を送信する。
【０１６５】
選択肢として、アクセスネットワーク装置は前のｍ個のタイムスロットにおける集約ＰＵＣＣＨに基づいて該アップリンク制御情報を解析した場合、端末にダウンリンク指示情報を送信する。
【０１６６】
選択肢として、ダウンリンク指示情報は、後続の集約ＰＵＣＣＨを使用してアップリンク制御情報を送信するのを停止するように端末に指示する情報を含む。このとき、ダウンリンク指示情報は、後続の集約ＰＵＣＣＨを使用してアップリンク制御情報を送信するのを停止するように端末に明示的に指示する情報である。
【０１６７】
選択肢として、ダウンリンク指示情報は、後続の集約ＰＵＣＣＨを使用して他のアップリンク制御情報を送信するように端末に指示する情報を含む。このとき、ダウンリンク指示情報は、後続の集約ＰＵＣＣＨを使用してアップリンク制御情報を送信するのを停止するように端末に暗黙的に指示する情報である。
【０１６８】
他のアップリンク制御情報とは、アクセスネットワーク装置が前のｍ個のタイムスロットにおいて受信したアップリンク制御情報と異なるアップリンク制御情報を指す。
【０１６９】
後続の集約ＰＵＣＣＨとは、ｎ個のタイムスロットのうちの、前のｍ個のタイムスロット以外のタイムスロットにおける集約ＰＵＣＣＨを指す。
【０１７０】
ステップ８０５では、端末はダウンリンク指示情報を受信する。
【０１７１】
ステップ８０６では、端末はダウンリンク指示情報に基づいて、後続の集約ＰＵＣＣＨを使用して他のアップリンク制御情報を送信する。
【０１７２】
選択肢として、ステップ８０５の代替可能なステップとして、端末はダウンリンク指示情報に基づいて、後続の集約ＰＵＣＣＨを使用してアップリンク制御情報を送信するのを停止してもよい。
【０１７３】
模式的に、ダウンリンク指示情報は後続の集約ＰＵＣＣＨを使用してアップリンク制御情報を送信するのを停止するように端末に指示する情報を含む場合、端末はダウンリンク指示情報に基づいて、後続の集約ＰＵＣＣＨを使用してアップリンク制御情報を送信するのを停止する。ダウンリンク指示情報は後続の集約ＰＵＣＣＨを使用して他のアップリンク制御情報を送信するように端末に指示する情報を含む場合、端末はダウンリンク指示情報に基づいて、後続の集約ＰＵＣＣＨを使用して他のアップリンク制御情報を送信する。
【０１７４】
ステップ８０７では、アクセスネットワーク装置は第１時間領域リソースに基づいて、端末の送信した他のアップリンク制御情報を受信する。
【０１７５】
選択肢として、アクセスネットワーク装置は再び第１設定情報と第２設定情報に基づいて、他のアップリンク制御情報を伝送するための第１時間領域リソースを決定し、それから、決定した第１時間領域リソースに基づいて端末から送信された他のアップリンク制御情報を受信し、又は、アクセスネットワーク装置はステップ８０２で決定された第１時間領域リソースに基づいて、端末から送信された他のアップリンク制御情報を受信してもよい。
【０１７６】
選択肢として、本実施例では、端末がｎ個のタイムスロットにおいて送信したアップリンク制御情報は、前のｍ個のタイムスロットにおいて送信した同一のアップリンク制御情報、及び後続で送信した他のアップリンク制御情報を含む。
【０１７７】
上記を纏めて、本実施例によるリソース決定方法では、アクセスネットワーク装置がｍ個のタイムスロットにおける集約ＰＵＣＣＨに基づいて端末から送信された同一のアップリンク制御情報をうまく解析した場合、端末にダウンリンク指示情報を送信して、該アップリンク制御情報を送信するのを停止するように端末に指示することによって、端末が続けて後続の集約ＰＵＣＣＨを使用してアップリンク制御情報を送信し、端末による余分な情報送信となり、アップリンク伝送リソースの浪費となるという問題を避けることができ、アップリンク伝送リソース節約の効果を達成できる。
【０１７８】
選択肢として、上記ステップ８０１、８０５、及び８０６は単独に端末側の方法実施例として実現でき、上記ステップ８０２、８０３、８０４及び８０７は単独にアクセスネットワーク装置側の方法実施例として実現できる。
【０１７９】
選択肢として、本願において、端末がｍ個のタイムスロットにおいて送信する同一のアップリンク制御情報はフィードバック情報であってもよく、該フィードバック情報は肯定応答又は否定応答である。
【０１８０】
肯定応答はダウンリンクデータを正確に受信したことを示すことに用いられ、例えば、肯定応答はＡＣＫ応答である。
【０１８１】
否定応答はダウンリンクデータを正確に受信していないことを示すことに用いられ、例えば、否定応答はＮＡＣＫ応答である。
【０１８２】
ダウンリンクデータは、端末がアップリンク制御情報を送信する前に受信した、アクセスネットワーク装置から送信されたデータである。
【０１８３】
選択肢として、本願において、ダウンリンク指示情報はダウンリンク許可（Ｇｒａｎｔ）であり、ダウンリンク指示情報はフィードバック情報に対応するハイブリッド自動再送要求（ＨＡＲＱ、Ｈｙｂｒｉｄ  Ａｕｔｏｍａｔｉｃ  Ｒｅｐｅａｔ  ｒｅＱｕｅｓｔ）プロセスをスケジューリングしてアップリンクデータを送信するのを指示することに用いられる。
【０１８４】
以下は、アップリンク制御情報がフィードバック情報であり、ダウンリンク指示情報が、フィードバック情報に対応するＨＡＲＱプロセスをスケジューリングしてアップリンクデータを送信するのを指示することに用いられるのを例にして、本実施例によるリソース決定方法を説明する。
【０１８５】
図９を参照して、仮に端末が集約ＰＵＣＣＨを介してアクセスネットワーク装置にＨＡＲＱプロセス＃１、＃２、＃３、＃３に対応するフィードバック情報を送信するとする。アクセスネットワーク装置は、１番目のタイムスロットにおける集約ＰＵＣＣＨ及び２番目のタイムスロットにおける集約ＰＵＣＣＨに基づいて、ＨＡＲＱプロセス＃１、＃２、＃３、＃３に対応するフィードバック情報をうまく解析し、このとき、ダウンリンク指示情報を生成し、該ダウンリンク指示情報は、端末がＨＡＲＱプロセス＃１、＃２、＃３、＃３のうちの少なくとも１つのＨＡＲＱプロセスをスケジューリングしてアップリンクデータを送信するのを指示することに用いられる。
【０１８６】
端末は後続の集約ＰＵＣＣＨにおいて、ＨＡＲＱプロセス＃１、＃２、＃３、＃３に対応するフィードバック情報を送信するのを停止し、他のアップリンク制御情報を送信する。
【０１８７】
図１０は本願の実施例によるリソース決定装置のブロック図を示す。該フィードバック情報伝送装置はソフトウェア、ハードウェア又は両者の組み合わせによって図１に示す通信システム１００における端末１４０の全部又は一部を実現できる。本実施例は端末１４０がＬＴＥシステム又は５ＧシステムにおけるＵＥであるのを例にして説明する。該リソース決定装置は、リソース決定ユニット１０１０と送信ユニット１０２０を備えてもよい。
【０１８８】
リソース決定ユニット１０１０は、第１設定情報と第２設定情報に基づいて、アップリンク制御情報を送信するための集約物理アップリンク制御チャネル（集約ＰＵＣＣＨ）の第１時間領域リソースを決定することに用いられ、
送信ユニット１０２０は、ｎ個のタイムスロットにおいて前記第１時間領域リソースを介してアクセスネットワーク装置に前記アップリンク制御情報を送信することに用いられ、前記ｎは正の整数であり、
前記第１設定情報は、前記アクセスネットワーク装置が集約ＰＵＣＣＨに設定した第２時間領域リソースを示すことに用いられ、前記第１時間領域リソースは前記第２時間領域リソースに属し、前記第２設定情報は、前記アクセスネットワーク装置が設定したアップリンク信号伝送のための第３時間領域リソースを示すことに用いられる。
【０１８９】
選択肢として、前記第１時間領域リソースは前記第２時間領域リソースと使用可能な時間領域リソースとの共通部分であり、前記使用可能な時間領域リソースは前記第３時間領域リソースに基づいて決定されたものである。
【０１９０】
選択肢として、前記第２設定情報は準静的に設定された情報であり、及び／又は、前記第２設定情報は半持続的に設定された情報であり、及び／又は、前記第２設定情報は動的に設定された情報である。
【０１９１】
選択肢として、前記第２設定情報は、
アップリンクチャネル品質測定（ＳＲＳ）の占有する時間領域リソースを示すための設定情報、
及び／又は、
サブフレームのフォーマットを示すための設定情報を含む。
【０１９２】
選択肢として、前記第１設定情報が前記第２時間領域リソースを示す方式は、
タイムスロット数及び各タイムスロットにおける集約ＰＵＣＣＨのシンボルの個数を示すこと、
タイムスロット数、各タイムスロットにおける集約ＰＵＣＣＨの時間開始点及びシンボルの個数を示すこと、
タイムスロット数、各タイムスロットにおける集約ＰＵＣＣＨの時間終了点及びシンボルの個数を示すこと、
タイムスロット数及び各タイムスロットにおける集約ＰＵＣＣＨのシンボル識別子を示すこと、
タイムスロット識別子及び各タイムスロットにおける集約ＰＵＣＣＨのシンボルの個数を示すこと、
タイムスロット識別子、各タイムスロットにおける集約ＰＵＣＣＨの時間開始点及びシンボルの個数を示すこと、
タイムスロット識別子、各タイムスロットにおける集約ＰＵＣＣＨの時間終了点及びシンボルの個数を示すこと、
タイムスロット識別子及び各タイムスロットにおける集約ＰＵＣＣＨのシンボル識別子を示すこと、のうちの１つであり、
各タイムスロットは少なくとも１つのシンボルを含む。
【０１９３】
選択肢として、前記ｎは１より大きく、前記端末がｎ個のタイムスロットにおける前のｍ個のタイムスロットにおいて前記第１時間領域リソースを介してアクセスネットワーク装置に前記アップリンク制御情報を送信した後、
前記端末は更に受信ユニットを含み、前記受信ユニットは、前記アクセスネットワーク装置から送信されたダウンリンク指示情報を受信することに用いられ、
前記送信ユニットは更に、前記ダウンリンク指示情報に基づいて、後続の集約ＰＵＣＣＨを使用して前記アップリンク制御情報を送信するのを停止することに用いられ、又は、端末は前記ダウンリンク指示情報に基づいて、後続の集約ＰＵＣＣＨを使用して他のアップリンク制御情報を送信し、
前記後続の集約ＰＵＣＣＨとは、前記ｎ個のタイムスロットのうちの、前のｍ個のタイムスロット以外のタイムスロットにおける集約ＰＵＣＣＨを指し、前記ｍは整数であり、且つ１≦ｍ＜ｎである。
【０１９４】
選択肢として、前記アップリンク制御情報はフィードバック情報を含み、前記フィードバック情報は肯定応答又は否定応答であり、前記肯定応答はダウンリンクデータを正確に受信したことを示すことに用いられ、前記否定応答は前記ダウンリンクデータを正確に受信していないことを示すことに用いられ、前記ダウンリンクデータは前記端末が前記アップリンク制御情報を送信する前に受信した前記アクセスネットワーク装置から送信されたデータであり、
前記ダウンリンク指示情報はダウンリンク許可（Ｇｒａｎｔ）であり、前記ダウンリンク指示情報は、前記フィードバック情報に対応するＨＡＲＱプロセスをスケジューリングしてアップリンクデータを送信するのを指示することに用いられる。
【０１９５】
選択肢として、前記端末が第１設定情報と第２設定情報に基づいて、アップリンク制御情報を送信するための集約ＰＵＣＣＨの各タイムスロットにおいて占有する第１時間領域リソースを決定する前に、
前記受信ユニットは更に、前記アクセスネットワーク装置から送信された前記第１設定情報を受信することに用いられ、
前記受信ユニットは更に、前記アクセスネットワーク装置から送信された前記第２設定情報を受信することに用いられる。
【０１９６】
詳細については上記の方法実施例を合わせて参照してもよい。
【０１９７】
図１１は本願の実施例によるリソース決定装置のブロック図を示す。該フィードバック情報伝送装置はソフトウェア、ハードウェア又は両者の組み合わせによって図１に示す通信システム１００におけるアクセスネットワーク装置１２０の全部又は一部を実現できる。本実施例はアクセスネットワーク装置１２０がＬＴＥシステムにおけるｅＮＢ、又は５ＧシステムにおけるｇＮＢであるのを例にして説明する。該リソース決定装置は、リソース決定ユニット１１１０と受信ユニット１１２０を備えてもよい。
【０１９８】
リソース決定ユニット１１１０は、第１設定情報と第２設定情報に基づいて、アップリンク制御情報を伝送するための集約物理アップリンク制御チャネル（集約ＰＵＣＣＨ）の第１時間領域リソースを決定することに用いられ、
受信ユニット１１２０は、ｎ個のタイムスロットにおいて前記第１時間領域リソースを介して端末から送信された前記アップリンク制御情報を受信することに用いられ、前記ｎは正の整数であり、
前記第１設定情報は、前記アクセスネットワーク装置が集約ＰＵＣＣＨに設定した第２時間領域リソースを示すことに用いられ、前記第１時間領域リソースは前記第２時間領域リソースに属し、前記第２設定情報は、前記アクセスネットワーク装置が設定したアップリンク信号伝送のための第３時間領域リソースを示すことに用いられる。
【０１９９】
選択肢として、前記第１時間領域リソースは前記第２時間領域リソースと使用可能な時間領域リソースとの共通部分であり、前記使用可能な時間領域リソースは前記第３時間領域リソースに基づいて決定されたものである。
【０２００】
選択肢として、前記第２設定情報は準静的に設定された情報であり、及び／又は、前記第２設定情報は半持続的に設定された情報であり、及び／又は、前記第２設定情報は動的に設定された情報である。
【０２０１】
選択肢として、前記第２設定情報は、
アップリンクチャネル品質測定（ＳＲＳ）の占有する時間領域リソースを示すための設定情報、
及び／又は、
サブフレームのフォーマットを示すための設定情報を含む。
【０２０２】
選択肢として、前記第１設定情報が前記第２時間領域リソースを示す方式は、
タイムスロット数及び各タイムスロットにおける集約ＰＵＣＣＨのシンボルの個数を示すこと、
タイムスロット数、各タイムスロットにおける集約ＰＵＣＣＨの時間開始点及びシンボルの個数を示すこと、
タイムスロット数、各タイムスロットにおける集約ＰＵＣＣＨの時間終了点及びシンボルの個数を示すこと、
タイムスロット数及び各タイムスロットにおける集約ＰＵＣＣＨのシンボル識別子を示すこと、
タイムスロット識別子及び各タイムスロットにおける集約ＰＵＣＣＨのシンボルの個数を示すこと、
タイムスロット識別子、各タイムスロットにおける集約ＰＵＣＣＨの時間開始点及びシンボルの個数を示すこと、
タイムスロット識別子、各タイムスロットにおける集約ＰＵＣＣＨの時間終了点及びシンボルの個数を示すこと、
タイムスロット識別子及び各タイムスロットにおける集約ＰＵＣＣＨのシンボル識別子を示すこと、のうちの１つであり、
各タイムスロットは少なくとも１つのシンボルを含む。
【０２０３】
選択肢として、前記ｎは１より大きく、前記装置は更に送信ユニットを備える。
【０２０４】
前記送信ユニットは、前記ｎ個のタイムスロットにおける前のｍ個のタイムスロットにおいて前記アップリンク制御情報を受信した後、前記端末にダウンリンク指示情報を送信することに用いられ、前記ダウンリンク指示情報は、後続の集約ＰＵＣＣＨを使用して前記アップリンク制御情報を送信するのを停止するように前記端末に指示する情報を含み、又は、前記ダウンリンク指示情報は、後続の集約ＰＵＣＣＨを使用して他のアップリンク制御情報を送信するように前記端末に指示する情報を含み、前記ｍは整数であり、且つ１≦ｍ＜ｎであり、
前記後続の集約ＰＵＣＣＨとは、前記ｎ個のタイムスロットのうちの、前のｍ個のタイムスロット以外のタイムスロットにおける集約ＰＵＣＣＨを指す。
【０２０５】
選択肢として、前記アップリンク制御情報はフィードバック情報を含み、前記フィードバック情報は肯定応答又は否定応答であり、前記肯定応答はダウンリンクデータを正確に受信したことを示すことに用いられ、前記否定応答は前記ダウンリンクデータを正確に受信していないことを示すことに用いられ、前記ダウンリンクデータは前記アクセスネットワーク装置が前記アップリンク制御情報を受信する前に前記端末に送信したデータであり、
前記ダウンリンク指示情報はダウンリンク許可（ＤＬ  Ｇｒａｎｔ）であり、前記ダウンリンク指示情報は、前記フィードバック情報に対応するＨＡＲＱプロセスをスケジューリングしてアップリンクデータを送信するのを指示することに用いられる。
【０２０６】
選択肢として、前記アクセスネットワーク装置が少なくとも１つのタイムスロットにおいて端末の集約ＰＵＣＣＨを介して送信したアップリンクデータを受信する前に、
前記送信ユニットは更に、前記端末に前記第１設定情報を送信することに用いられ、
前記送信ユニットは更に、前記端末に前記第２設定情報を送信することに用いられる。
【０２０７】
詳細については上記の方法実施例を合わせて参照してもよい。
【０２０８】
図１２は本願の例示的な実施例による端末の構造模式図を示し、該端末は、プロセッサ１２１、メモリ１２２、及びバス１２３を備える。
【０２０９】
プロセッサ１２１は１つ又は１つ以上の処理コアを含み、プロセッサ１２１はソフトウェアのプログラム及びモジュールを実行することにより、様々な機能アプリケーション及び情報処理を実行する。
【０２１０】
メモリ１２２はバス１２３を介してプロセッサ１２１に接続される。
【０２１１】
メモリ１２２は少なくとも１つの命令を記憶することに用いられることができ、プロセッサ１２１は該少なくとも１つの命令を実行して上記方法実施例における各ステップを実現することに用いられる。
【０２１２】
また、メモリ１２２は、任意のタイプの揮発性又は不揮発性記憶装置、例えば、スタティックランダムアクセスメモリ（ＳＲＡＭ）、電気的消去可能プログラマブル読取り専用メモリ（ＥＥＰＲＯＭ）、消去可能プログラマブル読取り専用メモリ（ＥＰＲＯＭ）、プログラマブル読取り専用メモリ（ＰＲＯＭ）、読取り専用メモリ（ＲＯＭ）、磁気メモリ、フラッシュメモリ、磁気ディスク又は光ディスク、又はそれらの組合せによって実装されてよい。
【０２１３】
選択肢として、図１２は単に端末の簡略化設計を示す。他の実施例において、端末は任意の数の送信機、受信機、プロセッサ、コントローラ、メモリ、通信ユニット等を備えてもよいが、本発明を実現できる全てのアクセスネットワーク装置はいずれも本発明の保護範囲にある。
【０２１４】
図１３は本願の例示的な実施例によるアクセスネットワーク装置の構造模式図を示し、該アクセスネットワーク装置は、プロセッサ１３１、メモリ１３２、及びバス１３３を備える。
【０２１５】
プロセッサ１３１は１つ又は１つ以上の処理コアを含み、プロセッサ１３１はソフトウェアのプログラム及びモジュールを実行することにより、様々な機能アプリケーション及び情報処理を実行する。
【０２１６】
メモリ１３２はバス１３３を介してプロセッサ１３１に接続される。
【０２１７】
メモリ１３２は少なくとも１つの命令を記憶することに用いられることができ、プロセッサ１３１は該少なくとも１つの命令を実行して上記方法実施例における各ステップを実現することに用いられる。
【０２１８】
また、メモリ１３２は、任意のタイプの揮発性又は不揮発性記憶装置、例えば、スタティックランダムアクセスメモリ（ＳＲＡＭ）、電気的消去可能プログラマブル読取り専用メモリ（ＥＥＰＲＯＭ）、消去可能プログラマブル読取り専用メモリ（ＥＰＲＯＭ）、プログラマブル読取り専用メモリ（ＰＲＯＭ）、読取り専用メモリ（ＲＯＭ）、磁気メモリ、フラッシュメモリ、磁気ディスク又は光ディスク、又はそれらの組合せによって実装されてよい。
【０２１９】
選択肢として、図１３は単にアクセスネットワーク装置の簡略化設計を示す。他の実施例において、アクセスネットワーク装置は任意の数の送信機、受信機、プロセッサ、コントローラ、メモリ、通信ユニット等を備えてもよいが、本発明を実現できる全てのアクセスネットワーク装置はいずれも本発明の保護範囲にある。
【０２２０】
本願の実施例は更に通信システムを提供し、該通信システムは端末とアクセスネットワーク装置を備えてもよい。
【０２２１】
端末は、第１設定情報と第２設定情報に基づいて、アップリンク制御情報を送信するための集約物理アップリンク制御チャネル（集約ＰＵＣＣＨ）の各タイムスロットにおいて占有する第１時間領域リソースを決定することに用いられ、端末は、ｎ個のタイムスロットにおいて、前記第１時間領域リソースを介してアクセスネットワーク装置に前記アップリンク制御情報を送信し、前記ｎは正の整数であり、
アクセスネットワーク装置は、
ｎ個のタイムスロットにおいて、端末が集約物理アップリンク制御チャネル（集約ＰＵＣＣＨ）を介して送信したアップリンク制御情報を受信することと、
第１設定情報と第２設定情報に基づいて、前記アップリンク制御情報の各タイムスロットにおいて占有する第１時間領域リソースを決定することと、に用いられ、
前記第１設定情報は、前記アクセスネットワーク装置が集約ＰＵＣＣＨに設定した第２時間領域リソースを示すことに用いられ、前記第１時間領域リソースは前記第２時間領域リソースに属し、前記第２設定情報は、前記アクセスネットワーク装置が設定したアップリンク信号伝送のための第３時間領域リソースを示すことに用いられる。
【０２２２】
当業者が意識できるように、上記１つ又は複数の例において、本願実施例の説明した機能は、ハードウェア、ソフトウェア、ファームウェア、又はそれらの任意の組み合わせで実現してよい。ソフトウェアを使用して実現する場合、それらの機能をコンピュータ可読媒体に記憶し、又はコンピュータ可読媒体における１つ又は複数の命令又はコードとして伝送してよい。コンピュータ可読媒体は、コンピュータ記憶媒体及び通信媒体を含み、通信媒体は、コンピュータプログラムを１つの場所から他の場所に伝送するのに便利な任意の媒体を含む。記憶媒体は、汎用又は専用のコンピュータがアクセスできる任意の利用可能な媒体であってよい。
【０２２３】
上記は本願の好適な実施例に過ぎず、本願を制限するためのものではない。本願の精神及び原則内において行われる如何なる修正、同等な代替、改善等は、いずれも本願の保護範囲に含まれるべきである。
【図１】
2021510465.tif 000003
【図２】
2021510465.tif 000004
【図３】
2021510465.tif 000005
【図４】
2021510465.tif 000006
【図５】
2021510465.tif 000007
【図６】
2021510465.tif 000008
【図７】
2021510465.tif 000009
【図８】
2021510465.tif 000010
【図９】
2021510465.tif 000011
【図１０】
2021510465.tif 000012
【図１１】
2021510465.tif 000013
【図１２】
2021510465.tif 000014
【図１３】
2021510465.tif 000015
【手続補正書】
【提出日】令和2年10月28日(2020.10.28)
【手続補正１】
【補正対象書類名】明細書
【補正対象項目名】００２８
【補正方法】変更
【補正の内容】
【００２８】
本願実施例による技術案の有益な効果は下記の通りである。
端末は第１設定情報と第２設定情報によって、アップリンク制御情報を送信する集約ＰＵＣＣＨの時間領域リソースを決定する。第１設定情報に基づいてアクセスネットワーク装置に設定された集約ＰＵＣＣＨの第２時間領域リソースを決定でき、第２設定情報に基づいてアップリンク伝送に用いられる使用可能な時間領域リソースを決定できるため、アクセスネットワーク装置が制御シグナリングを別途に送信してアップリンク制御情報を伝送するための時間領域リソースを示す必要がなく、端末は第２時間領域リソースにおける使用可能な時間領域リソースを直接に使用してアップリンク制御情報を伝送でき、制御シグナリングのオーバヘッドが大きいという課題を解決でき、制御情報のオーバヘッドを節約できる。
【手続補正２】
【補正対象書類名】明細書
【補正対象項目名】００６８
【補正方法】変更
【補正の内容】
【００６８】
上記を纏めて、本実施例によるリソース決定方法では、端末は第１設定情報と第２設定情報によってアップリンク制御情報を送信する集約ＰＵＣＣＨの時間領域リソースを決定する。第１設定情報に基づいてアクセスネットワーク装置に設定された集約ＰＵＣＣＨの第２時間領域リソースを決定でき、第２設定情報に基づいてアップリンク伝送のための使用可能な時間領域リソースを決定できるため、アクセスネットワーク装置が制御シグナリングを別途に送信してアップリンク制御情報を伝送するための時間領域リソースを示す必要がなく、端末は第２時間領域リソースにおける使用可能な時間領域リソースを直接に使用してアップリンク制御情報を伝送でき、制御シグナリングのオーバヘッドが大きいという課題を解決でき、制御情報のオーバヘッドを節約できる。
【手続補正３】
【補正対象書類名】明細書
【補正対象項目名】００７８
【補正方法】変更
【補正の内容】
【００７８】
第１設定情報に関する詳しい説明についてはステップ２０１を参照でき、ここでは繰り返して説明しない。
【手続補正４】
【補正対象書類名】明細書
【補正対象項目名】００８０
【補正方法】変更
【補正の内容】
【００８０】
第２設定情報に関する詳しい説明についてはステップ２０１を参照でき、ここでは繰り返して説明しない。
【手続補正５】
【補正対象書類名】明細書
【補正対象項目名】００８２
【補正方法】変更
【補正の内容】
【００８２】
上記を纏めて、本実施例によるリソース決定方法では、アクセスネットワーク装置は第１設定情報と第２設定情報によってアップリンク制御情報の集約ＰＵＣＣＨの時間領域リソースを決定し、第１設定情報に基づいてアクセスネットワーク装置に設定された集約ＰＵＣＣＨの第２時間領域リソースを決定でき、第２設定情報に基づいてアップリンク伝送のための使用可能な時間領域リソースを決定できるため、アクセスネットワーク装置が制御シグナリングを別途に生成してアップリンク制御情報を伝送するための時間領域リソースを示す必要がなく、端末は第２時間領域リソースにおける使用可能な時間領域リソースを直接に使用してアップリンク制御情報を伝送でき、制御シグナリングのオーバヘッドが大きいという課題を解決でき、制御情報のオーバヘッドを節約できる。
【手続補正６】
【補正対象書類名】明細書
【補正対象項目名】０１５７
【補正方法】変更
【補正の内容】
【０１５７】
上記を纏めて、本実施例によるリソース決定方法では、第１設定情報と第２設定情報によってアップリンク制御情報を送信する集約ＰＵＣＣＨの時間領域リソースを決定し、第１設定情報に基づいてアクセスネットワーク装置に設定された集約ＰＵＣＣＨの第２時間領域リソースを決定でき、第２設定情報に基づいてアップリンク伝送のための使用可能な時間領域リソースを決定できるため、アクセスネットワーク装置が制御シグナリングを別途に送信してアップリンク制御情報を伝送するための時間領域リソースを示す必要がなく、端末とアクセスネットワーク装置は第２時間領域リソースにおける使用可能な時間領域リソースを直接に使用してアップリンク制御情報を伝送でき、制御シグナリングのオーバヘッドが大きいという課題を解決でき、制御情報のオーバヘッドを節約できる。
【手続補正７】
【補正対象書類名】明細書
【補正対象項目名】０１８７
【補正方法】変更
【補正の内容】
【０１８７】
図１０は本願の実施例によるリソース決定装置のブロック図を示す。該リソース決定装置はソフトウェア、ハードウェア又は両者の組み合わせによって図１に示す通信システム１００における端末１４０の全部又は一部を実現できる。本実施例は端末１４０がＬＴＥシステム又は５ＧシステムにおけるＵＥであるのを例にして説明する。該リソース決定装置は、リソース決定ユニット１０１０と送信ユニット１０２０を備えてもよい。
【手続補正８】
【補正対象書類名】明細書
【補正対象項目名】０１９７
【補正方法】変更
【補正の内容】
【０１９７】
図１１は本願の実施例によるリソース決定装置のブロック図を示す。該リソース決定装置はソフトウェア、ハードウェア又は両者の組み合わせによって図１に示す通信システム１００におけるアクセスネットワーク装置１２０の全部又は一部を実現できる。本実施例はアクセスネットワーク装置１２０がＬＴＥシステムにおけるｅＮＢ、又は５ＧシステムにおけるｇＮＢであるのを例にして説明する。該リソース決定装置は、リソース決定ユニット１１１０と受信ユニット１１２０を備えてもよい。
【手続補正９】
【補正対象書類名】特許請求の範囲
【補正対象項目名】全文
【補正方法】変更
【補正の内容】
【特許請求の範囲】
【請求項１】
端末が第１設定情報と第２設定情報に基づいて、アップリンク制御情報を送信するための集約物理アップリンク制御チャネル（ＰＵＣＣＨ）の第１時間領域リソースを決定することと、
前記端末がｎ個のタイムスロットにおいて、前記第１時間領域リソースを介してアクセスネットワーク装置に前記アップリンク制御情報を送信し、前記ｎが正の整数であることと、を含み、
前記第１設定情報は、前記アクセスネットワーク装置が集約ＰＵＣＣＨに設定した第２時間領域リソースを示すことに用いられ、前記第１時間領域リソースは前記第２時間領域リソースに属し、前記第２設定情報は、前記アクセスネットワーク装置が設定したアップリンク信号伝送のための第３時間領域リソースを示すことに用いられることを特徴とするリソース決定方法。
【請求項２】
前記第２設定情報は使用可能な時間領域リソースを決定することに用いられることを特徴とする請求項１に記載の方法。
【請求項３】
前記第２設定情報はサブフレームのフォーマットを示すことに用いられる設定情報を含むことを特徴とする請求項１に記載の方法。
【請求項４】
前記端末は前記サブフレームのフォーマットに基づいて、使用可能な時間領域リソースが、端末がアップリンク制御情報を伝送できる時間領域リソースであると決定することを含むことを特徴とする請求項３に記載の方法。
【請求項５】
前記使用可能な時間領域リソースは、伝送方向がダウンリンクである時間領域リソースを含まないことを特徴とする請求項４に記載の方法。
【請求項６】
前記第２設定情報は準静的に設定された情報であり、及び／又は、前記第２設定情報は半持続的に設定された情報であり、及び／又は、前記第２設定情報は動的に設定された情報であることを特徴とする請求項１〜５のいずれか１つに記載の方法。
【請求項７】
前記第１設定情報が前記第２時間領域リソースを示す方式は、
タイムスロット数及び各タイムスロットにおける集約ＰＵＣＣＨのシンボルの個数を示すこと、
タイムスロット数、各タイムスロットにおける集約ＰＵＣＣＨの時間開始点及びシンボルの個数を示すこと、
タイムスロット数、各タイムスロットにおける集約ＰＵＣＣＨの時間終了点及びシンボルの個数を示すこと、
タイムスロット数及び各タイムスロットにおける集約ＰＵＣＣＨのシンボル識別子を示すこと、
タイムスロット識別子及び各タイムスロットにおける集約ＰＵＣＣＨのシンボルの個数を示すこと、
タイムスロット識別子、各タイムスロットにおける集約ＰＵＣＣＨの時間開始点及びシンボルの個数を示すこと、
タイムスロット識別子、各タイムスロットにおける集約ＰＵＣＣＨの時間終了点及びシンボルの個数を示すこと、
タイムスロット識別子及び各タイムスロットにおける集約ＰＵＣＣＨのシンボル識別子を示すこと、のうちの１つであり、
各タイムスロットは少なくとも１つのシンボルを含むことを特徴とする請求項１〜６のいずれか１つに記載の方法。
【請求項８】
アクセスネットワーク装置が第１設定情報と第２設定情報に基づいて、アップリンク制御情報を伝送するための集約物理アップリンク制御チャネル（集約ＰＵＣＣＨ）の第１時間領域リソースを決定することと、
前記アクセスネットワーク装置がｎ個のタイムスロットにおいて、前記第１時間領域リソースを介して端末の送信した前記アップリンク制御情報を受信し、前記ｎが正の整数であることと、を含み、
前記第１設定情報は、前記アクセスネットワーク装置が集約ＰＵＣＣＨに設定した第２時間領域リソースを示すことに用いられ、前記第１時間領域リソースは前記第２時間領域リソースに属し、前記第２設定情報は、前記アクセスネットワーク装置が設定したアップリンク信号伝送のための第３時間領域リソースを示すことに用いられることを特徴とするリソース決定方法。
【請求項９】
前記第２設定情報は使用可能な時間領域リソースを決定することに用いられることを特徴とする請求項８に記載の方法。
【請求項１０】
前記第２設定情報はサブフレームのフォーマットを示すことに用いられる設定情報を含むことを特徴とする請求項８に記載の方法。
【請求項１１】
前記サブフレームのフォーマットは、使用可能な時間領域リソースがアップリンク制御情報を伝送できる時間領域リソースであると決定することに用いられることを特徴とする請求項１０に記載の方法。
【請求項１２】
前記使用可能な時間領域リソースは、伝送方向がダウンリンクである時間領域リソースを含まないことを特徴とする請求項１１に記載の方法。
【請求項１３】
前記第１設定情報が前記第２時間領域リソースを示す方式は、
タイムスロット数及び各タイムスロットにおける集約ＰＵＣＣＨのシンボルの個数を示すこと、
タイムスロット数、各タイムスロットにおける集約ＰＵＣＣＨの時間開始点及びシンボルの個数を示すこと、
タイムスロット数、各タイムスロットにおける集約ＰＵＣＣＨの時間終了点及びシンボルの個数を示すこと、
タイムスロット数及び各タイムスロットにおける集約ＰＵＣＣＨのシンボル識別子を示すこと、
タイムスロット識別子及び各タイムスロットにおける集約ＰＵＣＣＨのシンボルの個数を示すこと、
タイムスロット識別子、各タイムスロットにおける集約ＰＵＣＣＨの時間開始点及びシンボルの個数を示すこと、
タイムスロット識別子、各タイムスロットにおける集約ＰＵＣＣＨの時間終了点及びシンボルの個数を示すこと、
タイムスロット識別子及び各タイムスロットにおける集約ＰＵＣＣＨのシンボル識別子を示すこと、のうちの１つであり、
各タイムスロットは少なくとも１つのシンボルを含むことを特徴とする請求項８〜１２のいずれか１つに記載の方法。
【請求項１４】
請求項１〜７のいずれか１つに記載の方法を実行することに適用されることを特徴とするリソース決定装置。
【請求項１５】
請求項８〜１３のいずれか１つに記載の方法を実行することに適用されることを特徴とするリソース決定装置。
【国際調査報告】
2021510465.tif 000016
2021510465.tif 000017
2021510465.tif 000018
2021510465.tif 000019